(57)【特許請求の範囲】
【請求項１】
各々画像記録装置によって被記録媒体に記録された画像を判読する判読者を示す複数の判読者情報と、該判読者情報毎に定められており、前記画像記録装置に対して設定されると共に前記被記録媒体に記録された画像の判読性に影響を与える設定情報に対応する対応値の許容範囲を規定する規定値とを対応付けて記憶した記憶手段と、
指定された前記対応値である指定対応値が前記記憶手段に記憶されている前記規定値によって規定された前記許容範囲に含まれている該規定値に対応する前記判読者情報を対象にして、前記指定対応値に相当する前記対応値に対応する前記設定情報が設定された前記画像記録装置によって前記被記録媒体に画像が記録されるように前記画像記録装置を制御し、前記指定対応値が前記記憶手段に記憶されている前記規定値によって規定された前記許容範囲に含まれていない該規定値に対応する前記判読者情報を対象にして、該許容範囲に含まれる前記対応値に対応する前記設定情報が設定された前記画像記録装置によって前記被記録媒体に画像が記録されるように前記画像記録装置を制御する制御手段とを備え、
前記制御手段は、前記指定対応値が前記記憶手段に記憶されている前記規定値によって規定された前記許容範囲に含まれていない該規定値に対応する複数の前記判読者情報の各々を対象にして、該判読者情報の各々に対応付けられている各規定値によって各々規定された前記許容範囲の何れにも含まれる前記対応値に対応する前記設定情報が設定された前記画像記録装置によって前記被記録媒体の各々に画像が記録されるように前記画像記録装置を制御する
ことを特徴とする画像記録制御装置。
【請求項２】
前記設定情報は複数の設定項目毎に設定され、
前記制御手段は、前記複数の設定項目のうちの特定の設定項目について、前記記憶手段に記憶されている前記判読者情報の各々を対象にして強制的に、該判読者情報の各々に対応付けられている各規定値によって各々規定された前記許容範囲の何れにも含まれる前記対応値に対応する前記設定情報が設定された前記画像記録装置によって前記被記録媒体に画像が記録されるように前記画像記録装置を制御する請求項１に記載の画像記録制御装置。
【請求項３】
前記複数の設定項目から前記特定の設定項目を指定する指定情報を受け付ける指定受付手段を更に含む請求項２に記載の画像記録制御装置。
【請求項４】
前記制御手段は、前記指定対応値が前記記憶手段に記憶されている前記規定値によって規定された前記許容範囲に含まれている該規定値に対応する複数の前記判読者情報の各々を対象にして、前記指定対応値に相当する前記対応値に対応する前記設定情報が設定された前記画像記録装置によって前記被記録媒体に画像が記録されるように前記画像記録装置を制御する請求項１に記載の画像記録制御装置。
【請求項５】
前記制御手段は、更に、前記記憶手段に記憶されている複数の判読者情報を、前記指定対応値が前記記憶手段に記憶されている前記規定値によって規定された前記許容範囲に含まれていない該規定値に対応する複数の前記判読者情報を含む第１判読者群と前記指定対応値が前記記憶手段に記憶されている前記規定値によって規定された前記許容範囲に含まれている該規定値に対応する複数の前記判読者情報を含む第２判読者群とに仕分け、仕分けた前記第１判読者群及び前記第２判読者群毎に共通の前記設定情報が設定された前記画像記録装置によって前記被記録媒体に画像が記録されるように前記画像記録装置を制御する請求項１〜請求項４の何れか１項に記載の画像記録制御装置。
【請求項６】
前記制御手段は、前記記憶手段に記憶されている複数の判読者情報のうち、前記指定対応値が前記記憶手段に記憶されている前記規定値によって規定された前記許容範囲に含まれていない該規定値に対応する前記判読者情報の占有率が予め定められた占有率範囲に含まれる場合に、前記第１判読者群と前記第２判読者群とに仕分け、仕分けた前記第１判読者群及び前記第２判読者群毎に共通の前記設定情報が設定された前記画像記録装置によって前記被記録媒体に画像が記録されるように前記画像記録装置を制御する請求項５に記載の画像記録制御装置。
【請求項７】
前記制御手段は、仕分けた前記第１判読者群に含まれる前記判読者情報の各々を対象にして、強制的に定められた前記設定情報が設定された前記画像記録装置によって前記被記録媒体に画像が記録されるように前記画像記録装置を制御し、前記第２判読者群に含まれる前記判読者情報の各々を対象にして、該判読者毎に、前記記憶手段に記憶されている対応する前記規定値によって規定された前記許容範囲に含まれる前記対応値に対応する前記設定情報が設定された前記画像記録装置によって前記被記録媒体に画像が記録されるように前記画像記録装置を制御する請求項６に記載の画像記録制御装置。
【請求項８】
前記制御手段は、更に、前記占有率が前記占有率範囲に含まれず、かつ該占有率範囲の上限値以上の閾値を超えた場合に、前記記憶手段に記憶されている複数の判読者情報を前記第１判読者群と前記第２判読者群とに仕分けずに、該判読者情報の各々に対応付けられている各規定値によって各々規定された前記許容範囲の何れにも含まれる前記対応値に対応する前記設定情報が設定された前記画像記録装置によって少なくとも判読対象者の人数分の前記被記録媒体の各々に画像が記録されるように前記画像記録装置を制御する請求項６又は請求項７に記載の画像記録制御装置。
【請求項９】
前記制御手段は、更に、前記占有率が前記占有率範囲に含まれず、かつ該占有率範囲の下限値以下の他の閾値未満の場合に、前記記憶手段に記憶されている複数の判読者情報を前記第１判読者群と前記第２判読者群とに仕分けずに、強制的に定められた前記設定情報が設定された前記画像記録装置によって少なくとも判読対象者の人数分の前記被記録媒体の各々に画像が記録されるように前記画像記録装置を制御する請求項６〜請求項８の何れか１項に記載の画像記録制御装置。
【請求項１０】
前記制御手段は、更に、前記記憶手段に記憶されている複数の判読者情報のうち、前記指定対応値が前記記憶手段に記憶されている前記規定値によって規定された前記許容範囲に含まれていない該規定値に対応する前記判読者情報の占有率が予め定められた閾値を超えた場合に、該判読者情報の各々に対応付けられている各規定値によって各々規定された前記許容範囲の何れにも含まれる前記対応値に対応する前記設定情報が設定された前記画像記録装置によって少なくとも判読対象者の人数分の前記被記録媒体の各々に画像が記録されるように前記画像記録装置を制御する請求項１〜請求項４の何れか１項に記載の画像記録制御装置。
【請求項１１】
前記制御手段は、更に、前記占有率が前記閾値よりも低い他の閾値未満の場合に、強制的に定められた前記設定情報が設定された前記画像記録装置によって判読対象者の人数分の前記被記録媒体の各々に画像が記録されるように前記画像記録装置を制御する請求項１０に記載の画像記録制御装置。
【請求項１２】
前記制御手段は、更に、前記記憶手段に記憶されている複数の判読者情報のうち、前記指定対応値が前記記憶手段に記憶されている前記規定値によって規定された前記許容範囲に含まれていない該規定値に対応する前記判読者情報の占有率が予め定められた閾値未満の場合に、強制的に定められた前記設定情報が設定された前記画像記録装置によって判読対象者の人数分の前記被記録媒体の各々に画像が記録されるように前記画像記録装置を制御する請求項１〜請求項４の何れか１項に記載の画像記録装置。
【請求項１３】
コンピュータを、
各々画像記録装置によって被記録媒体に記録された画像を判読する判読者を示す複数の判読者情報と、該判読者情報毎に定められており、前記画像記録装置に対して設定されると共に前記被記録媒体に記録された画像の判読性に影響を与える設定情報に対応する対応値の許容範囲を規定する規定値とを対応付けて記憶した記憶手段に記憶されている前記規定値によって規定された前記許容範囲に指定された前記対応値である指定対応値が含まれている該規定値に対応する前記判読者情報を対象にして、前記指定対応値に相当する前記対応値に対応する前記設定情報が設定された前記画像記録装置によって前記被記録媒体に画像が記録されるように前記画像記録装置を制御する手段、及び
指定された前記対応値である指定対応値が前記記憶手段に記憶されている前記規定値によって規定された前記許容範囲に含まれている該規定値に対応する前記判読者情報を対象にして、前記指定対応値に相当する前記対応値に対応する前記設定情報が設定された前記画像記録装置によって前記被記録媒体に画像が記録されるように前記画像記録装置を制御し、前記指定対応値が前記記憶手段に記憶されている前記規定値によって規定された前記許容範囲に含まれていない該規定値に対応する前記判読者情報を対象にして、該許容範囲に含まれる前記対応値に対応する前記設定情報が設定された前記画像記録装置によって前記被記録媒体に画像が記録されるように前記画像記録装置を制御し、前記指定対応値が前記記憶手段に記憶されている前記規定値によって規定された前記許容範囲に含まれていない該規定値に対応する複数の前記判読者情報の各々を対象にして、該判読者情報の各々に対応付けられている各規定値によって各々規定された前記許容範囲の何れにも含まれる前記対応値に対応する前記設定情報が設定された前記画像記録装置によって前記被記録媒体の各々に画像が記録されるように前記画像記録装置を制御する手段として機能させるためのプログラム。
【発明の詳細な説明】
【技術分野】
【０００１】
本発明は、画像記録制御装置及びプログラムに関する。
【背景技術】
【０００２】
特許文献１には、ページ単位に区分された入力画像に含まれる複数のページを単一のページに集約して出力画像を生成する画像処理装置であって、出力画像における文字の大きさが確認される状態で、出力画像における文字サイズについてのユーザ設定を受け付ける設定受付手段と、入力画像を出力画像に集約したときの文字サイズがユーザ設定を満たすように、集約に係るパラメータを決定する決定手段と、を備え、設定受付手段が、ユーザ別にユーザ設定を記憶する手段と、入力画像から出力画像の生成を指示するユーザを特定する手段と、ユーザの特定に応答して、記憶されているユーザ設定のうち対応するユーザ設定を読み出す手段と、を有し、決定手段が、読み出されたユーザ設定に基づいてパラメータを決定することを特徴とする画像処理装置が開示されている。
【０００３】
特許文献２には、文字を含む画像データを入力する入力手段を備え、該入力した画像データに基づき縮小印刷が可能な画像形成装置であって、縮小印刷時に判読可能な文字サイズを基準文字サイズとしてユーザ毎に記憶する記憶手段と、入力手段によりユーザが入力した画像データに対して縮小印刷時の変倍率を設定する変倍率設定手段と、変倍率により縮小された画像データに含まれる文字の文字サイズの中で最小となる最小文字サイズを判定する最小文字サイズ判定手段と、判定した最小文字サイズと記憶手段に記憶されたユーザの基準文字サイズとを比較する文字サイズ比較手段と、を備え、文字サイズ比較手段により比較した結果、最小文字サイズが基準文字サイズよりも小さい場合に、変倍率設定手段で設定した変倍率を変更可能としたことを特徴とする画像形成装置が開示されている。
【０００４】
特許文献３には、アプリケーションからの描画命令に基づき、１物理ページ上に複数の論理ページをページレイアウトした印刷データを生成可能な印刷制御装置であって、描画命令中に含まれる描画種別が異なるそれぞれの描画命令に対するレイアウト制限情報を設定する設定手段と、設定手段により設定される各レイアウト制限情報に基づいて、１物理ページ上にレイアウトすべき論理ページ数を決定する決定手段と、決定手段により決定される論理ページ数に基づいて複数ページが縮小レイアウトされた印刷データを生成する生成手段と、を有することを特徴とする印刷制御装置が開示されている。
【先行技術文献】
【特許文献】
【０００５】
【特許文献１】特開２０１０−２７２０４９号公報
【特許文献２】特開２０１０−２７８８２２号公報
【特許文献３】特開２００６−１８５３０７号公報
【発明の概要】
【発明が解決しようとする課題】
【０００６】
本発明の課題は、複数の判読者の個々の判読能力に応じた画像を被記録媒体に記録する場合の画像記録装置に対する設定の手間を軽減すると共に生産性の向上に寄与する、画像記録制御装置及びプログラムを提供することである。
【課題を解決するための手段】
【０００７】
上記目的を達成するために、請求項１に記載の画像記録制御装置を、各々画像記録装置によって被記録媒体に記録された画像を判読する判読者を示す複数の判読者情報と、該判読者情報毎に定められており、前記画像記録装置に対して設定されると共に前記被記録媒体に記録された画像の判読性に影響を与える設定情報に対応する対応値の許容範囲を規定する規定値とを対応付けて記憶した記憶手段と、指定された前記対応値である指定対応値が前記記憶手段に記憶されている前記規定値によって規定された前記許容範囲に含まれている該規定値に対応する前記判読者情報を対象にして、前記指定対応値に相当する前記対応値に対応する前記設定情報が設定された前記画像記録装置によって前記被記録媒体に画像が記録されるように前記画像記録装置を制御し、前記指定対応値が前記記憶手段に記憶されている前記規定値によって規定された前記許容範囲に含まれていない該規定値に対応する前記判読者情報を対象にして、該許容範囲に含まれる前記対応値に対応する前記設定情報が設定された前記画像記録装置によって前記被記録媒体に画像が記録されるように前記画像記録装置を制御する制御手段とを備え、前記制御手段は、前記指定対応値が前記記憶手段に記憶されている前記規定値によって規定された前記許容範囲に含まれていない該規定値に対応する複数の前記判読者情報の各々を対象にして、該判読者情報の各々に対応付けられている各規定値によって各々規定された前記許容範囲の何れにも含まれる前記対応値に対応する前記設定情報が設定された前記画像記録装置によって前記被記録媒体の各々に画像が記録されるように前記画像記録装置を制御することを特徴とする構成とした。
【０００９】
請求項２に記載の画像記録制御装置を、前記設定情報は複数の設定項目毎に設定され、前記制御手段は、前記複数の設定項目のうちの特定の設定項目について、前記記憶手段に記憶されている前記判読者情報の各々を対象にして強制的に、該判読者情報の各々に対応付けられている各規定値によって各々規定された前記許容範囲の何れにも含まれる前記対応値に対応する前記設定情報が設定された前記画像記録装置によって前記被記録媒体に画像が記録されるように前記画像記録装置を制御するものとした。
【００１０】
請求項３に記載の画像記録制御装置を、請求項２に記載の発明において、前記複数の設定項目から前記特定の設定項目を指定する指定情報を受け付ける指定受付手段を更に含むものとした。
【００１１】
請求項４に記載の画像記録制御装置を、請求項１に記載の発明において、前記制御手段が、前記指定対応値が前記記憶手段に記憶されている前記規定値によって規定された前記許容範囲に含まれている該規定値に対応する複数の前記判読者情報の各々を対象にして、前記指定対応値に相当する前記対応値に対応する前記設定情報が設定された前記画像記録装置によって前記被記録媒体に画像が記録されるように前記画像記録装置を制御するものとした。
【００１２】
請求項５に記載の画像記録制御装置を、請求項１〜請求項４の何れか１項に記載の発明において、前記制御手段が、更に、前記記憶手段に記憶されている複数の判読者情報を、前記指定対応値が前記記憶手段に記憶されている前記規定値によって規定された前記許容範囲に含まれていない該規定値に対応する複数の前記判読者情報を含む第１判読者群と前記指定対応値が前記記憶手段に記憶されている前記規定値によって規定された前記許容範囲に含まれている該規定値に対応する複数の前記判読者情報を含む第２判読者群とに仕分け、仕分けた前記第１判読者群及び前記第２判読者群毎に共通の前記設定情報が設定された前記画像記録装置によって前記被記録媒体に画像が記録されるように前記画像記録装置を制御するものとした。
【００１３】
請求項６に記載の画像記録制御装置を、請求項５に記載の発明において、前記制御手段が、前記記憶手段に記憶されている複数の判読者情報のうち、前記指定対応値が前記記憶手段に記憶されている前記規定値によって規定された前記許容範囲に含まれていない該規定値に対応する前記判読者情報の占有率が予め定められた占有率範囲に含まれる場合に、前記第１判読者群と前記第２判読者群とに仕分け、仕分けた前記第１判読者群及び前記第２判読者群毎に共通の前記設定情報が設定された前記画像記録装置によって前記被記録媒体に画像が記録されるように前記画像記録装置を制御するものとした。
【００１４】
請求項７に記載の画像記録制御装置を、請求項６に記載の発明において、前記制御手段が、仕分けた前記第１判読者群に含まれる前記判読者情報の各々を対象にして、強制的に定められた前記設定情報が設定された前記画像記録装置によって前記被記録媒体に画像が記録されるように前記画像記録装置を制御し、前記第２判読者群に含まれる前記判読者情報の各々を対象にして、該判読者毎に、前記記憶手段に記憶されている対応する前記規定値によって規定された前記許容範囲に含まれる前記対応値に対応する前記設定情報が設定された前記画像記録装置によって前記被記録媒体に画像が記録されるように前記画像記録装置を制御するものとした。
【００１５】
請求項８に記載の画像記録制御装置を、請求項６又は請求項７に記載の発明において、前記制御手段が、更に、前記占有率が前記占有率範囲に含まれず、かつ該占有率範囲の上限値以上の閾値を超えた場合に、前記記憶手段に記憶されている複数の判読者情報を前記第１判読者群と前記第２判読者群とに仕分けずに、該判読者情報の各々に対応付けられている各規定値によって各々規定された前記許容範囲の何れにも含まれる前記対応値に対応する前記設定情報が設定された前記画像記録装置によって少なくとも判読対象者の人数分の前記被記録媒体の各々に画像が記録されるように前記画像記録装置を制御するものとした。
【００１６】
請求項９に記載の画像記録制御装置を、請求項６〜請求項８の何れか１項に記載の発明において、前記制御手段が、更に、前記占有率が前記占有率範囲に含まれず、かつ該占有率範囲の下限値以下の他の閾値未満の場合に、前記記憶手段に記憶されている複数の判読者情報を前記第１判読者群と前記第２判読者群とに仕分けずに、強制的に定められた前記設定情報が設定された前記画像記録装置によって少なくとも判読対象者の人数分の前記被記録媒体の各々に画像が記録されるように前記画像記録装置を制御するものとした。
【００１７】
請求項１０に記載の画像記録制御装置を、請求項１〜請求項４の何れか１項に記載の発明において、前記制御手段が、更に、前記記憶手段に記憶されている複数の判読者情報のうち、前記指定対応値が前記記憶手段に記憶されている前記規定値によって規定された前記許容範囲に含まれていない該規定値に対応する前記判読者情報の占有率が予め定められた閾値を超えた場合に、該判読者情報の各々に対応付けられている各規定値によって各々規定された前記許容範囲の何れにも含まれる前記対応値に対応する前記設定情報が設定された前記画像記録装置によって少なくとも判読対象者の人数分の前記被記録媒体の各々に画像が記録されるように前記画像記録装置を制御するものとした。
【００１８】
請求項１１に記載の画像記録制御装置を、請求項１０に記載の発明において、前記制御手段が、更に、前記占有率が前記閾値よりも低い他の閾値未満の場合に、強制的に定められた前記設定情報が設定された前記画像記録装置によって判読対象者の人数分の前記被記録媒体の各々に画像が記録されるように前記画像記録装置を制御するものとした。
【００１９】
請求項１２に記載の画像記録制御装置を、請求項１〜請求項４の何れか１項に記載の発明において、前記制御手段が、更に、前記記憶手段に記憶されている複数の判読者情報のうち、前記指定対応値が前記記憶手段に記憶されている前記規定値によって規定された前記許容範囲に含まれていない該規定値に対応する前記判読者情報の占有率が予め定められた閾値未満の場合に、強制的に定められた前記設定情報が設定された前記画像記録装置によって判読対象者の人数分の前記被記録媒体の各々に画像が記録されるように前記画像記録装置を制御するものとした。
【００２１】
請求項１３に記載のプログラムを、各々画像記録装置によって被記録媒体に記録された画像を判読する判読者を示す複数の判読者情報と、該判読者情報毎に定められており、前記画像記録装置に対して設定されると共に前記被記録媒体に記録された画像の判読性に影響を与える設定情報に対応する対応値の許容範囲を規定する規定値とを対応付けて記憶した記憶手段に記憶されている前記規定値によって規定された前記許容範囲に指定された前記対応値である指定対応値が含まれている該規定値に対応する前記判読者情報を対象にして、前記指定対応値に相当する前記対応値に対応する前記設定情報が設定された前記画像記録装置によって前記被記録媒体に画像が記録されるように前記画像記録装置を制御する手段、及び指定された前記対応値である指定対応値が前記記憶手段に記憶されている前記規定値によって規定された前記許容範囲に含まれている該規定値に対応する前記判読者情報を対象にして、前記指定対応値に相当する前記対応値に対応する前記設定情報が設定された前記画像記録装置によって前記被記録媒体に画像が記録されるように前記画像記録装置を制御し、前記指定対応値が前記記憶手段に記憶されている前記規定値によって規定された前記許容範囲に含まれていない該規定値に対応する前記判読者情報を対象にして、該許容範囲に含まれる前記対応値に対応する前記設定情報が設定された前記画像記録装置によって前記被記録媒体に画像が記録されるように前記画像記録装置を制御し、前記指定対応値が前記記憶手段に記憶されている前記規定値によって規定された前記許容範囲に含まれていない該規定値に対応する複数の前記判読者情報の各々を対象にして、該判読者情報の各々に対応付けられている各規定値によって各々規定された前記許容範囲の何れにも含まれる前記対応値に対応する前記設定情報が設定された前記画像記録装置によって前記被記録媒体の各々に画像が記録されるように前記画像記録装置を制御する手段としてコンピュータを機能させるためのものとした。
【発明の効果】
【００２２】
請求項１及び請求項１３に係る発明によれば、指定対応値が許容範囲に含まれている規定値に対応する判読者情報を対象にして、指定対応値に対応する設定情報が画像記録装置に設定され、指定対応値が許容範囲に含まれていない規定値に対応する判読者情報を対象にして、許容範囲に含まれる対応値に対応する設定情報が画像記録装置に設定される構成を有しない場合に比べ、複数の判読者の個々の判読能力に応じた画像を被記録媒体に記録する場合の画像記録装置に対する設定の手間を軽減すると共に生産性の向上に寄与する、という効果が得られる。
【００２４】
請求項２に係る発明によれば、特定の設定項目について、各判読者情報を対象にして強制的に、判読者情報の各々に対応する各規定値によって規定された許容範囲の何れにも含まれる対応値に対応する設定情報が画像記録装置に設定される構成を有しない場合に比べ、特定の設定項目を対象にした複数の判読対象者の判読能力に応じた設定情報が容易に設定される、という効果が得られる。
【００２５】
請求項３に係る発明によれば、複数の設定項目から特定の設定項目を指定する指定情報を受け付ける指定受付手段を有しない場合に比べ、利用者の要求に応じた設定項目が特定の設定項目として容易に採用される、という効果が得られる。
【００２６】
請求項４に係る発明によれば、指定対応値を許容範囲に含む規定値に対応する複数の判読者情報の各々を対象にして、指定対応値に対応する設定情報が画像記録装置に設定される構成を有しない場合に比べ、複数の判読対象者の判読能力に応じた設定情報として指定対応値に対応した設定情報が容易に設定される、という効果が得られる。
【００２７】
請求項５に係る発明によれば、指定対応値が許容範囲に含まれない規定値に対応する複数の判読者を含む第１判読者群と指定対応値が許容範囲に含まれる規定値に対応する複数の判読者を含む第２判読者群とに仕分けて第１判読者群及び第２判読者群毎に共通の設定情報が画像記録装置に設定される構成を有しない場合に比べ、複数の判読対象者の判読能力に応じた設定情報が容易に設定され、かつ複数の判読対象者の判読能力に応じた設定情報が高精度に設定される、という効果が得られる。
【００２８】
請求項６に係る発明によれば、指定対応値が許容範囲に含まれない規定値に対応する複数の判読者を含む第１判読者群と指定対応値が許容範囲に含まれる規定値に対応する複数の判読者を含む第２判読者群とに仕分けて第１判読者群及び第２判読者群毎に共通の設定情報が画像記録装置に設定される構成を有しない場合に比べ、複数の判読対象者の判読能力に応じた設定情報が容易に設定され、かつ複数の判読対象者の判読能力に応じた設定情報が高精度に設定される、という効果が得られる。
【００２９】
請求項７に係る発明によれば、複数の判読者情報のうち、指定対応値が含まれない規定値に対応する判読者情報の占有率が予め定められた占有率範囲に含まれる場合に第１判読者群と第２判読者群とに仕分けて、第１判読者群及び第２判読者群毎に共通の設定情報が画像記録装置に設定される構成を有しない場合に比べ、複数の判読対象者の判読能力に応じた設定情報が容易に設定され、かつ複数の判読対象者の判読能力に応じた設定情報が高精度に設定される、という効果が得られる。
【００３０】
請求項８に係る発明によれば、占有率が占有率範囲の上限値以上の閾値を超えた場合に第１判読者群と第２判読者群とに仕分けずに、各判読者情報に対応する各規定値による許容範囲の何れにも含まれる対応値に対応する設定情報が画像記録装置に設定される構成を有しない場合に比べ、複数の判読対象者の判読能力に応じた設定情報が容易に設定され、かつ生産性を向上させる、という効果が得られる。
【００３１】
請求項９に係る発明によれば、占有率が占有率範囲の下限値以下の他の閾値未満の場合に第１判読者群と第２判読者群とに仕分けずに、強制的に定められた設定情報が画像記録装置に設定される構成を有しない場合に比べ、生産性を向上させる、という効果が得られる。
【００３２】
請求項１０に係る発明によれば、指定対応値が許容範囲に含まれていない規定値に対応する判読者情報の占有率が予め定められた閾値を超えた場合に、各判読者情報に対応する各規定値による許容範囲の何れにも含まれる対応値に対応する設定情報が画像記録装置に設定される構成を有しない場合に比べ、複数の判読対象者の判読能力に応じた設定情報が容易に設定され、かつ生産性を向上させる、という効果が得られる。
【００３３】
請求項１１に係る発明によれば、占有率が他の閾値未満の場合に、強制的に定められた設定情報が画像記録装置に設定される構成を有しない場合に比べ、生産性を向上させる、という効果が得られる。
【００３４】
請求項１２に係る発明によれば、許容範囲に含まれていない規定値に対応する判読者情情報を記憶した設定関連記憶手段と、設定情報を受け付ける設定受付手段と、設定関連記憶手段から、設定受付手段によって受け付けられた設定情報に対応する対応値を導出される、という効果が得られる。
【図面の簡単な説明】
【００３６】
【図１】第１の実施形態に係る画像記録システムの全体構成の一例を示す構成図である。
【図２】第１の実施形態に係る画像記録システムの電気系の構成の一例を示すブロック図である。
【図３】第１の実施形態に係るサーバ装置の二次記憶部の主な記憶内容の一例を示す模式図である。
【図４】第１の実施形態に係るサーバ装置の二次記憶部の図３に示す記憶内容以外の主な記憶内容の一例を示す模式図である。
【図５】第１の実施形態に係る画像記録制御指示処理プログラムの処理の流れの一例を示すフローチャートである。
【図６】第１の実施形態に係るクライアント装置の表示部に表示された設定画面の一例を示す模式図である。
【図７】第１の実施形態に係る画像記録制御処理プログラムの処理の流れの一例を示すフローチャートである。
【図８】第１の実施形態に係る画像記録制御処理プログラムが実行されることによって得られた設定情報とデータベースとの相関の一例を示す模式図である。
【図９】第１の実施形態に係る画像記録処理プログラムの処理の流れの一例を示すフローチャートである。
【図１０】第２の実施形態に係る画像記録制御処理プログラムの処理の流れの一例を示すフローチャートである。
【図１１】第２の実施形態に係る画像記録制御処理プログラムが実行されることによって得られた設定情報とデータベースとの相関の一例を示す模式図である。
【図１２】第３の実施形態に係る画像記録制御処理プログラムの処理の流れの一例を示すフローチャートである。
【図１３】第３の実施形態に係る設定情報確定処理プログラムの処理の流れの一例を示すフローチャートである。
【図１４】第３の実施形態に係る画像記録制御処理プログラムが実行されることによって得られた設定情報とデータベースとの相関の一例を示す模式図である。
【図１５】第４の実施形態に係る画像記録制御指示処理プログラムの処理の流れの一例を示すフローチャートである。
【図１６】第４の実施形態に係るクライアント装置の表示部に表示された共通設定項目画面の一例を示す模式図である。
【図１７】第４の実施形態に係る画像記録制御処理プログラムの処理の流れの一例を示すフローチャートである。
【図１８】第４の実施形態に係る第１設定情報確定処理プログラムの処理の流れの一例を示すフローチャートである。
【図１９】第４の実施形態に係る第２設定情報確定処理プログラムの処理の流れの一例を示すフローチャートである。
【図２０】第４の実施形態に係る画像記録制御処理プログラムが実行されることによって得られた設定情報とデータベースとの相関の一例を示す模式図である。
【図２１】第５の実施形態に係る画像記録制御処理プログラムの処理の流れの一例を示すフローチャートである。
【図２２】第５の実施形態に係る第３設定情報確定処理プログラムの処理の流れの一例を示すフローチャートである。
【図２３】第５の実施形態に係る画像記録制御処理プログラムが実行されることによって設定情報が得られるまでの過程の一部の一例を示す模式図である。
【図２４】第５の実施形態に係る画像記録制御処理プログラムが実行されることによって得られた設定情報とデータベースとの相関の一例を示す模式図である。
【発明を実施するための形態】
【００３７】
［第１の実施形態］
【００３８】
以下、図面を参照して本発明を実施するための形態の一例について詳細に説明する。なお、以下の第１〜第５の実施形態では、利用者がクライアント装置を用いてサーバ装置を経由して画像記録装置を制御する画像記録システムを例に挙げて説明する。
【００３９】
図１は、本第１の実施形態に係る画像記録システム１０の全体構成の一例を示す構成図である。図１に示すように、画像記録システム１０は、画像記録装置１２、サーバ装置１４、クライアント装置１６及び伝送路１８を含んで構成されている。なお、本第１の実施形態に係る画像記録システム１０では、伝送路１８として、ＬＡＮ（Local Area Network）を適用しているが、これに限らず、ＶＡＮ（Value Added Network）、電話回線網、エコーネット（ECHONET）、ＨｏｍｅＰＮＡ等の各種通信手段を単独又は組み合わせて適用しても良い。また、伝送路１８は有線のものであっても良いし、無線のものであっても良い。
【００４０】
画像記録装置１２は、記録用紙に記録すべき画像を示す画像情報に基づいて記録用紙に画像を記録するものである。なお、本第１の実施形態に係る画像記録装置１２は、所謂インクジェット方式のプリンタを含んで構成されているが、これに限らず、サーマル方式のプリンタやゼログラフィ方式のプリンタなどの画像情報に基づいて記録用紙に画像を記録する機能を有するプリンタを含んで構成されていても良い。
【００４１】
サーバ装置１４は、伝送路１８を介して特定の外部装置から受け付けた指示に応じて画像記録装置１２の動作を制御するものである。また、クライアント装置１６は、前述の特定の外部装置として機能する汎用のパーソナル・コンピュータを含んで構成されており、例えば画像記録システム１０の利用者によって用いられるものである。
【００４２】
画像記録装置１２、サーバ装置１４及びクライアント装置１６は、伝送路１８を介して相互に接続されている。従って、サーバ装置１４は、クライアント装置１６との各種情報の授受と、画像記録装置１２との各種情報の授受と、画像記録装置１２の動作の制御と、を各々行う。
【００４３】
図２は、本第１の実施形態に係る画像記録システム１０の電気系の構成の一例を示すブロック図である。図２に示すように、画像記録装置１２は、画像記録装置１２全体の動作を司るＣＰＵ（中央処理装置）１２Ａと、ＣＰＵ１２Ａによる各種処理プログラムの実行時のワークエリア等として用いられるＲＡＭ（Random Access Memory）１２Ｂと、各種処理プログラムや各種パラメータなどが予め記憶されたＲＯＭ（Read Only Memory）１２Ｃと、各種情報を記憶するために用いられる二次記憶部（ここでは、一例としてハードディスク装置）１２Ｄと、各種情報を受け付けるために用いられるキーボードやマウス（ポインティングデバイス）などを含んで構成された受付部１２Ｅと、各種情報を表示するために用いられるディスプレイを含んで構成された表示部１２Ｆと、伝送路１８を介してサーバ装置１４及びクライアント装置１６に接続され、サーバ装置１４との各種情報の授受を司る通信インタフェース（Ｉ／Ｆ）１２Ｇと、前述のプリンタに相当するものであって、画像情報に基づいて記録用紙に画像を記録する画像記録部１２Ｈと、を含んで構成されており、これら各部はシステムバス１２Ｉにより電気的に相互に接続されている。
【００４４】
従って、ＣＰＵ１２Ａは、ＲＡＭ１２Ｂ、ＲＯＭ１２Ｃ及び二次記憶部１２Ｄに対するアクセスと、受付部１２Ｅによって受け付けられた各種情報の取得と、表示部１２Ｆに対する各種情報の表示と、通信Ｉ／Ｆ１２Ｇを介したサーバ装置１４との各種情報の授受と、画像記録部１２Ｈの動作の制御と、を各々行う。
【００４５】
一方、サーバ装置１４は、サーバ装置１４全体の動作を司るＣＰＵ１４Ａと、ＣＰＵ１４Ａによる各種処理プログラムの実行時のワークエリア等として用いられるＲＡＭ１４Ｂと、各種処理プログラムや各種パラメータなどが予め記憶されたＲＯＭ１４Ｃと、各種情報を記憶するために用いられる二次記憶部（ここでは、一例としてハードディスク装置）１４Ｄと、各種情報を受け付けるために用いられるキーボードやマウス（ポインティングデバイス）などを含んで構成された受付部１４Ｅと、各種情報を表示するために用いられるディスプレイを含んで構成された表示部１４Ｆと、伝送路１８を介して画像記録装置１２及びクライアント装置１６に接続され、画像記録装置１２及びクライアント装置１６との各種情報の授受を司る通信Ｉ／Ｆ１４Ｇと、を含んで構成されており、これら各部はシステムバス１４Ｉにより電気的に相互に接続されている。
【００４６】
従って、ＣＰＵ１４Ａは、ＲＡＭ１４Ｂ、ＲＯＭ１４Ｃ及び二次記憶部１４Ｄに対するアクセスと、受付部１４Ｅによって受け付けられた各種情報の取得と、表示部１４Ｆに対する各種情報の表示と、通信Ｉ／Ｆ１４Ｇを介した画像記録装置１２との各種情報の授受と、通信Ｉ／Ｆ１４Ｇを介したクライアント装置１６との各種情報の授受と、を各々行う。
【００４７】
一方、クライアント装置１６は、クライアント装置１６全体の動作を司るＣＰＵ１６Ａと、ＣＰＵ１６Ａによる各種処理プログラムの実行時のワークエリア等として用いられるＲＡＭ１６Ｂと、各種処理プログラムや各種パラメータなどが予め記憶されたＲＯＭ１６Ｃと、各種情報を記憶するために用いられる二次記憶部（ここでは、一例としてハードディスク装置）１６Ｄと、各種情報を受け付けるために用いられるキーボードやマウス（ポインティングデバイス）などを含んで構成された受付部１６Ｅと、各種情報を表示するために用いられるディスプレイを含んで構成された表示部１６Ｆと、伝送路１８を介して画像記録装置１２及びサーバ装置１４に接続され、画像記録装置１２及びサーバ装置１４との各種情報の授受を司る通信Ｉ／Ｆ１６Ｇと、を含んで構成されており、これら各部はシステムバス１６Ｉにより電気的に相互に接続されている。
【００４８】
従って、ＣＰＵ１６Ａは、ＲＡＭ１６Ｂ、ＲＯＭ１６Ｃ及び二次記憶部１６Ｄに対するアクセスと、受付部１６Ｅによって受け付けられた各種情報の取得と、表示部１６Ｆに対する各種情報の表示と、通信Ｉ／Ｆ１６Ｇを介したサーバ装置１４との各種情報の授受と、を各々行う。
【００４９】
ところで、本第１の実施形態に係る画像記録システム１０では、サーバ装置１４が、被記録媒体としての記録用紙に記録された画像を判読する各判読者の判読能力（例えば視力の大きさや色覚異常障害に起因する画像の認識能力）に応じて、画像記録装置１２に対して記録用紙に画像を記録させる機能を有している。この機能を実現するために、本第１の実施形態に係る画像記録システム１０では、一例として図３に示すデータベースＡ，Ｂ及び図４に示すデータベースＣがＲＯＭ１４Ｃに予め記憶されている。
【００５０】
図３に示すように、データベースＡは、テーブルａ１とテーブルａ１に対して一意に定められたテーブルａ２とを含んで構成されている。テーブルａ１は、複数の判読者に対して画像が記録された記録用紙を提供する画像提供者（以下、「出し手」と言う。）によってクライアント装置１６を介して画像記録装置１２に対して設定される設定項目のうち判読性に影響を及ぼす設定項目と設定項目に割り当てられた値（以下、「設定値」と言う。）とが対応付けられて構成されている。図３に示す例では、設定項目として、“モノクロ印刷”、“トナーセーブ印刷”、“Ｎｕｐ集約印刷”、“製本印刷”及び“縮小印刷”が示されている。また、各設定項目に割り当てられた設定値の例としては、“モノクロ印刷”の設定項目には、モノクロ印刷を画像記録装置１２に対して指示することを示す“○”との設定値及びモノクロ印刷を画像記録装置１２に対して指示しないことを示す“×”との設定値のうち、“○”との設定値が割り当てられ、“トナーセーブ印刷”の設定項目には、トナーセーブ印刷を画像記録装置１２に対して指示することを示す“○”との設定値とトナーセーブ印刷を画像記録装置１２に対して指示しないことを示す“×”との設定値のうち、“○”との設定値が割り当てられ、“Ｎｕｐ集約印刷”の設定項目には、１〜４ｕｐ集約印刷のうちの４ｕｐ集約印刷を画像記録装置１２に対して指示することを示す“４ｕｐ”との設定値が割り当てられ、“製本印刷”の設定項目には、製本印刷を画像記録装置１２に対して指示することを示す“○”との設定値及び製本印刷を画像記録装置１２に対して指示しないことを示す“×”との設定値のうち、“×”との設定値が割り当てられ、“縮小印刷”の設定項目には、縮小印刷を画像記録装置１２に対して指示することを示す“○”との設定値及び縮小印刷を画像記録装置１２に対して指示しないことを示す“×”との設定値のうち、“×”との設定値が割り当てられている。
【００５１】
なお、本実施形態において、“モノクロ印刷”とは、画像記録装置１２によってブラック以外のトナーを現像剤として用いずに記録用紙に画像を記録することを示し、“トナーセーブ印刷”とは、画像記録装置１２によって通常時よりも現像に用いるトナーの量を少なくして記録用紙に画像を記録することを示し、“Ｎｕｐ集約印刷”とは、画像記録装置１２によって１枚の記録用紙についてＮ（自然数）枚分の画像を記録することを示し、“製本印刷”とは、画像記録装置１２によって記録用紙に画像を記録してから製本することを示し、“縮小印刷”とは、画像記録装置１２によって記録用紙に画像を縮小して記録することを示している。
【００５２】
一方、テーブルａ２は、テーブルａ１の設定項目から一意に導かれる画像の特性を表す画像特性項目とテーブルａ１の設定項目に割り当てられた設定値から一意に導かれる値（以下、「対応値」と言う。）とが対応付けられて構成されている。なお、図３に示す例では、画像特性項目として、“境界部色相差”、“境界部最小コントラスト”、“最小文字サイズ”及び“最小線幅”が示されている。“境界部色相差”は、テーブルａ１の“モノクロ印刷”との設定項目から一意に導かれる画像特性項目である。“境界部最小コントラスト”は、テーブルａ１の“トナーセーブ印刷”との設定項目から一意に導かれる画像特性項目である。“最小文字サイズ”及び“最小線幅”の各々は、“Ｎｕｐ集約印刷”との設定項目、“製本印刷”との設定項目及び“縮小印刷”との設定項目から一意に導かれる画像特性項目である。また、図３に示す例では、“境界部色相差”に“１”との対応値が割り当てられ、“境界部最小コントラスト”に“５”との対応値が割り当てられ、“最小文字サイズ”に“９”との対応値が割り当てられ、“最小線幅”に“２”との対応値が割り当てられている。
【００５３】
また、図３には、データベースＢの一例が示されている。図３に示すように、データベースＢは、判読者（読み手）を示す判読者情報と、判読者情報毎に対応付けられ、かつ画像特性項目毎の対応値の許容範囲を規定する規定値とが対応付けられて構成されている。規定値としては、例えば、対応する判読者情報により示される判読者によって予め要求された最低限の対応値や出し手が判読者の判読能力を考慮して定めた対応値などを用いれば良い。なお、図３に示す例では、データベースＢには、判読者としての読み手１〜５の各々を示す判読者情報の各々に対して、テーブルａ２の画像特性項目に対応する規定値項目が割り当てられており、テーブルａ２の“境界部色相差”との画像特性項目に対応する“判読可能な、境界部の最小色相差”との規定値項目（以下、「色相差規定値項目」と言う。）、テーブルａ２の“境界部最小コントラスト”との画像特性項目に対応する““判読可能な、境界部の最小コントラスト”との規定値項目（以下、「コントラスト規定値項目」と言う。）、テーブルａ２の“最小文字サイズ”との画像特性項目に対応する“判読可能な、最小文字サイズ”との規定値項目（以下、「文字サイズ規定値項目」と言う。）、及びテーブルａ２の“最小線幅”との画像特性項目に対応する“判読可能な、最小線幅”との規定値項目（以下、「線幅規定値項目」と言う。）が示されている。
【００５４】
一方、図４には、データベースＣの一例が示されている。データベースＣは、規定値項目及び規定値から予め定められた設定項目及び設定値を一意に導くために用いられるものである。データベースＣは、規定値項目、規定値、設定項目及び設定値を含んで構成されており、規定値項目に割り当てられた規定値により規定される許容範囲に含まれる対応値から一意に導かれる設定項目及び設定値が定められている。図４に示すデータベースＣの一例では、データベースＣの内容の一部が例示されている。具体的には、色相差規定値項目に対しては“１”〜“４”との各規定値が割り当てられ、コントラスト規定値項目に対しては“５”及び“６”との各規定値が割り当てられ、文字サイズ規定値項目に対しては“１０”及び“８”との各規定値が割り当てられ、線幅規定値項目に対しては“１”及び“３”との各規定値が割り当てられている。また、色相差規定値項目に対しては“モノクロ印刷”との設定項目が割り当てられ、コントラスト規定値項目に対しては“トナーセーブ印刷”との設定項目が割り当てられ、文字サイズ規定値項目及び線幅規定値項目の組み合わせに対しては“Ｎｕｐ集約印刷”との設定項目、“製本印刷”との設定項目及び“縮小印刷”との設定項目の組み合わせが割り当てられている。そして、色相差規定値項目に対する“１”及び“２”との規定値に対しては“モノクロ印刷”との設定項目について“○”との設定値が割り当てられており、“３”との規定値及び“４”との規定値に対しては“モノクロ印刷”との設定項目について“×”との設定値が割り当てられている。また、コントラスト規定値項目に対する“５”との規定値に対しては“トナーセーブ印刷”との設定項目について“○”との設定値が割り当てられ、コントラスト規定値項目に対する“６”との規定値に対しては“トナーセーブ印刷”との設定項目について“×”との設定値が割り当てられている。また、文字サイズ規定値項目に対する“１０”との規定値及び線幅規定値項目に対する“１”との規定値の組み合わせに対しては“Ｎｕｐ集約印刷”との設定項目について“２ｕｐ”との設定値が、“製本印刷”との設定項目について“×”との設定値が、“縮小印刷”との設定項目について“×”との設定値が各々割り当てられている。更に、文字サイズ規定値項目に対する“８”との規定値及び線幅規定値項目に対する“３”との規定値の組み合わせに対しては“Ｎｕｐ集約印刷”との設定項目について“１ｕｐ”との設定値が、“製本印刷”との設定項目について“×”との設定値が、“縮小印刷”との設定項目について“×”との設定値が各々割り当てられている。
【００５５】
以上のように構成された画像記録システム１０によって画像記録装置１２に対して記録用紙に画像を記録させる機能を実現するための各種処理は、ソフトウェア構成によって実現される。その一例としては、コンピュータを利用してプログラムを実行する形態が挙げられる。しかし、このようなソフトウェア構成による実現に限られるものではなく、ハードウェア構成や、ハードウェア構成とソフトウェア構成との組み合わせによって実現しても良いことは言うまでもない。
【００５６】
以下では、本第１の実施形態に係る画像記録システム１０が上記プログラムを実行することにより画像記録制御指示処理、画像記録制御処理及び画像記録処理などの各種処理を実現する場合について説明する。この場合、上記プログラムをＲＯＭ１２Ｃ，１４Ｃ，１６Ｃに予め記憶させておく形態や、記憶内容がコンピュータによって読み取られる記録媒体に記憶された状態で提供される形態、有線または無線による通信手段を介して配信される形態等を適用しても良い。
【００５７】
次に、本第１の実施形態に係る画像記録システム１０の作用について説明する。先ず、図５を参照して、画像記録装置１２によって複数の判読者の各々の判読能力に応じた画像を記録用紙に記録するに際し、画像記録装置１２に対して設定項目毎に設定値を設定するためにクライアント装置１６によって実行される画像記録制御指示処理について説明する。図５は、クライアント装置１６において画像記録制御指示処理の実行の開始を指示する条件（例えば受付部１６Ｅによって画像記録制御指示処理の実行の開始を指示する操作が受け付けられたとの条件）を満足した際にクライアント装置１６のＣＰＵ１６Ａによって実行される画像記録制御指示処理プログラムの処理の流れを示すフローチャートである。
【００５８】
同図のステップ１００では、出し手が画像記録装置１２に対して設定する設定値を指定するための設定画面を表示部１６Ｆに表示した後、ステップ１０２に移行し、設定値の受付が終了するまで待機する。図６には、表示部１６Ｆに表示された設定画面の一例が示されている。同図の示すように、設定画面の上部には“設定値を入力して下さい。”との出し手に設定値の入力を促すメッセージが表示される。また、このメッセージの下には、設定項目が表示されると共に、設定項目毎に設定値を入力するための空欄（設定値入力欄）及びプルダウン・ボタンが表示される。プルダウン・ボタンは設定項目毎に対応して設けられており、例えばマウスを介してポインティング指定すると、設定値入力欄に入力される設定値の候補がプルダウン・メニューとして表示される。例えばプルダウン・メニューに表示された設定値の候補の何れかが出し手によってマウスを介してポインティング指定されると、指定された設定値の候補が設定値として設定値入力欄に入力されて対応する設定項目に付与される。図６に示す例では、“モノクロ印刷”の設定項目に対しては“○”との設定値が割り当てられ、“トナーセーブ印刷”の設定項目に対しては“○”との設定値が割り当てられ、“Ｎｕｐ集約印刷”の設定項目に対しては“４ｕｐ”との設定値が割り当てられ、“製本印刷”の設定項目に対しては“×”との設定値が割り当てられ、“縮小印刷”との設定項目に対しては“×”との設定値が割り当てられている。
【００５９】
また、設定画面には、“クリア”ボタンが表示されており、例えば“クリア”ボタンが出し手によってマウスを介してポインティング指定されると、現時点で設定値入力欄に設定値が入力されている場合には設定値が消去される。また、設定画面には、“確定”ボタンが表示されており、例えば“確定”ボタンが出し手によってマウスを介してポインティング指定されると、現時点で設定値入力欄に設定値が入力されている場合には対応する設定項目に対する設定値の付与が確定し、現時点で設定値入力欄に設定値が入力されていない場合には各設定項目に対する予め定められた設定値（デフォルト設定値）の付与が確定する。設定画面の“確定”ボタンが例えばポインティング指定されて各設定項目に対する設定値の付与が確定するとステップ１０２は肯定判定となってステップ１０４に移行する。
【００６０】
ステップ１０４では、上記ステップ１０２の処理によって受け付けられた設定値を設定項目毎に対応付けて構成した設定情報をサーバ装置１４に送信した後、本画像記録制御指示処理プログラムを終了する。
【００６１】
次に、図７を参照して、画像記録装置１２によって複数の判読者の各々の判読能力に応じた画像を記録用紙に記録するに際し、画像記録装置１２に対して設定項目毎に設定値を設定するためにサーバ装置１４によって実行される画像記録制御処理について説明する。図７は、サーバ装置１４において画像記録制御処理の実行の開始を指示する条件（例えば電源が投入されたとの条件）を満足した際にサーバ装置１４のＣＰＵ１４Ａによって実行される画像記録制御処理プログラムの処理の流れを示すフローチャートである。
【００６２】
同図のステップ１５０では、上記画像記録制御指示処理プログラムのステップ１０４の処理によって送信された設定情報の受信待ちを行う。ステップ１５０の処理によって設定情報が受信されるとステップ１５０は肯定判定となってステップ１５２に移行する。ステップ１５２では、データベースＡから、上記ステップ１５０の処理によって受信された設定情報に相当するテーブルａ１を検索し、検索して得たテーブルａ１に対応付けられているテーブルａ２を取得する。
【００６３】
次のステップ１５４では、データベースＢから、本画像記録制御処理プログラムの以降のステップが未処理の１つの規定値項目を注目の規定値項目（本第１の実施形態では、「注目規定値項目」と言う。）として取得した後、ステップ１５６に移行し、上記ステップ１５４の処理によって取得された注目規定値項目について、データベースＢから未処理の判読者情報を取得する。
【００６４】
次のステップ１５８では、上記ステップ１５４の処理によって取得された注目規定値項目について、上記ステップ１５６の処理によって取得された判読者情報に割り当てられている規定値を取得した後、ステップ１６０に移行し、上記ステップ１５８の処理によって取得された規定値が、現時点で取得されている注目規定値項目（上記ステップ１５４の処理によって取得された注目規定値項目）に対応する画像特性項目に割り当てられた対応値が含まれない許容範囲を規定している規定値でないか否かを判定し、肯定判定となった場合にはステップ１６２に移行する一方、否定判定となった場合にはステップ１６４に移行する。
【００６５】
上記ステップ１６０では、例えば、色相差規定値項目に割り当てられている“３”との規定値により規定される対応値の許容範囲は、“３”以上の値であるので、テーブルａ２の“境界部色相差”との画像特性項目に割り当てられている“１”との対応値は、色相差規定値項目に割り当てられている“３”との規定値により規定される対応値の許容範囲に含まれないと判定し、この場合は否定判定となってステップ１６４に移行する。また、上記ステップ１６０では、例えば、コントラスト規定値項目に割り当てられている“１”との規定値により規定される対応値の許容範囲は、“１”以上の値であるので、テーブルａ２の“境界部最小コントラスト”との画像特性項目に割り当てられている“５”との対応値は、コントラスト規定値項目に割り当てられている“１”との規定値により規定される対応値の許容範囲に含まれると判定し、この場合は肯定判定となってステップ１６２に移行する。また、上記ステップ１６０では、例えば、文字サイズ規定値項目に割り当てられている“６”との規定値により規定される対応値の許容範囲は、“６”以上の値であるので、テーブルａ２の“最小文字サイズ”との画像特性項目に割り当てられている“９”との対応値は、文字サイズ規定値項目に割り当てられている“６”との規定値により規定される対応値の許容範囲に含まれると判定し、この場合は肯定判定となってステップ１６２に移行する。また、上記ステップ１６０では、例えば、線幅規定値項目に割り当てられている“１”との規定値により規定される対応値の許容範囲は、“１”以上の値であるので、テーブルａ２の“最小線幅”との画像特性項目に割り当てられている“２”との対応値は、線幅規定値項目に割り当てられている“１”との規定値により規定される対応値の許容範囲に含まれると判定し、この場合は肯定判定となってステップ１６２に移行する。なお、以下では、規定値項目に割り当てられた規定値のうち、対応する画像特性項目に割り当てられた対応値が含まれない許容範囲を規定している規定値を「ＮＧ規定値」と言う。
【００６６】
ステップ１６２では、上記ステップ１５２の処理によって取得されたテーブルａ２の画像特性項目のうち、現時点で取得されている注目規定値項目に対応する画像特性項目に割り当てられている対応値に対応する設定項目及び設定値を、上記ステップ１５２の処理によって取得されたテーブルａ２に対応付けられているテーブルａ１から導出した後、ステップ１６６に移行する。
【００６７】
上記ステップ１６２では、例えば、現時点で取得されている注目規定値項目が色相差規定値項目の場合、色相差規定値項目に対応する“境界部色相差”との画像特性項目に割り当てられている“１”との対応値に対応する設定項目として“モノクロ印刷”との設定項目を導出すると共に、“モノクロ印刷”との設定項目に割り当てられている“○”との設定値を導出する。また、上記ステップ１６２では、例えば、現時点で取得されている注目規定値項目がコントラスト規定値項目の場合、コントラスト規定値項目に対応する“境界部最小コントラスト”との画像特性項目に割り当てられている“５”との対応値に対応する設定項目として“トナーセーブ印刷”との設定項目を導出すると共に、“トナーセーブ印刷”との設定項目に割り当てられている“○”との設定値を導出する。また、上記ステップ１６２では、例えば、現時点で取得されている注目規定値項目が文字サイズ規定値項目の場合、文字サイズ規定値項目に対応する“最小文字サイズ”との画像特性項目に割り当てられている“９”との対応値に対応する設定項目として“Ｎｕｐ集約印刷”との設定項目、“製本印刷”との設定項目及び“縮小印刷”との設定項目を導出すると共に、“Ｎｕｐ集約印刷”との設定項目に割り当てられている“４ｕｐ”との設定値、製本印刷”との設定項目に割り当てられている“×”との設定値及び“縮小印刷”との設定項目に割り当てられている“×”との設定値を導出する。また、上記ステップ１６２では、例えば、現時点で取得されている注目規定値項目が線幅規定値項目の場合、線幅規定値項目に対応する“最小線幅”との画像特性項目に割り当てられている“２”との対応値に対応する設定項目として“Ｎｕｐ集約印刷”との設定項目、“製本印刷”との設定項目及び“縮小印刷”との設定項目を導出すると共に、“Ｎｕｐ集約印刷”との設定項目に割り当てられている“４ｕｐ”との設定値、製本印刷”との設定項目に割り当てられている“×”との設定値及び“縮小印刷”との設定項目に割り当てられている“×”との設定値を導出する。
【００６８】
ステップ１６４では、データベースＣを参照して、上記ステップ１５８の処理によって取得された規定値により規定された許容範囲に含まれる対応値として予め定められた対応値に対して一意に定められた設定項目及び設定値を導出した後、ステップ１６６に移行する。上記ステップ１６４では、例えば、現時点で取得されている注目規定値項目が色相差規定値項目であり、上記ステップ１５８の処理によって取得された規定値が“１”の場合、データベースＣから色相差規定値項目に割り当てられた“１”との規定値に対応する設定項目及び設定値（図４に示す例では、“モノクロ印刷”との設定項目及び“○”との設定値）を導出する。
【００６９】
ステップ１６６では、上記ステップ１６２，１６４の処理によって導出された設定項目及び設定値と現時点で取得されている判読者情報とを対応付けて構成した設定情報を二次記憶部１４Ｄの予め定められた記憶領域に記憶した後、ステップ１６８に移行する。
【００７０】
図８には、二次記憶部１４Ｄの予め定められた記憶領域に記憶された設定情報の一例が示されている。なお、図８に示す例では、出し手が指定した設定値及び規定値と異なる設定値及び規定値が網掛けされて示されている。
【００７１】
図８に示す例では、二次記憶部１４Ｄの予め定められた記憶領域に記憶された設定情報のうち、読み手２を示す判読者情報以外の判読者情報に割り当てられた設定情報が、データベースＡのテーブルａ１（上記ステップ１５０の処理によって受信された設定情報）と相違している。また、データベースＢに含まれる判読者情報により示される読み手１の設定情報、データベースＢに含まれる判読者情報により示される読み手３の設定情報、データベースＢに含まれる判読者情報により示される読み手４の設定情報、及びデータベースＢに含まれる判読者情報により示される読み手５の設定情報がデータベースＡのテーブルａ１と相違している。具体的には、データベースＢに含まれる判読者情報により示される読み手１の設定情報は、データベースＡのテーブルａ１に比べ、“モノクロ印刷”との設定項目に“×”との設定値が割り当てられている点が相違している。この読み手１の設定情報において、“モノクロ印刷”との設定項目及びこの設定項目に割り当てられた“×”との設定値は、データベースＢに含まれる判読者情報により示される読み手１に割り当てられた色相差規定値項目の“３”とのＮＧ規定値からデータベースＣを用いて導出されたものである。
【００７２】
また、データベースＢに含まれる判読者情報により示される読み手３の設定情報は、データベースＡのテーブルａ１に比べ、“モノクロ印刷”との設定項目に“×”との設定値が割り当てられている点及び“Ｎｕｐ集約印刷”との設定項目に“２ｕｐ”との設定値が割り当てられている点が相違している。この読み手３の設定情報において、“モノクロ印刷”との設定項目及びこの設定項目に割り当てられた“×”との設定値は、データベースＢに含まれる判読者情報により示される読み手３に割り当てられた色相差規定値項目の“３”とのＮＧ規定値からデータベースＣを用いて導出されたものであり、“Ｎｕｐ集約印刷”との設定項目及びこの設定項目に割り当てられた“２ｕｐ”との設定値は、データベースＢに含まれる判読者情報により示される読み手３に割り当てられた文字サイズ規定値項目の“１０”とのＮＧ規定値及び線幅規定値項目の“１”との規定値からデータベースＣを用いて導出されたものである。
【００７３】
また、データベースＢに含まれる判読者情報により示される読み手４の設定情報は、データベースＡのテーブルａ１に比べ、“Ｎｕｐ集約印刷”との設定項目に“１ｕｐ”との設定値が割り当てられている点が相違している。この読み手４の設定情報において、“Ｎｕｐ集約印刷”との設定項目及びこの設定項目に割り当てられた“１ｕｐ”との設定値は、データベースＢに含まれる判読者情報により示される読み手４に割り当てられた文字サイズ規定値項目の“８”との規定値及び線幅規定値項目の“３”とのＮＧ規定値からデータベースＣを用いて導出されたものである。
【００７４】
更に、データベースＢに含まれる判読者情報により示される読み手５の設定情報は、データベースＡのテーブルａ１に比べ、“トナーセーブ印刷”との設定項目に“×”との設定値が割り当てられている点が相違している。この読み手５の設定情報において、“トナーセーブ印刷”との設定項目及びこの設定項目に割り当てられた“×”との設定値は、データベースＢに含まれる判読者情報により示される読み手５に割り当てられたコントラスト規定値項目の“６”とのＮＧ規定値からデータベースＣを用いて導出されたものである。
【００７５】
ステップ１６８では、現時点で取得されている注目規定値項目の全ての判読者情報について上記ステップ１５６〜１６６の処理の実行が終了したか否かを判定し、否定判定となった場合にはステップ１５６に戻る一方、肯定判定となった場合にはステップ１７０に移行する。ステップ１７０では、データベースＢの全ての規定値項目について上記ステップ１５６〜１６８の処理の実行が終了したか否かを判定し、否定判定となった場合にはステップ１５４に戻る一方、肯定判定となった場合にはステップ１７２に移行し、上記ステップ１６６で二次記憶部１４Ｄに記憶された設定情報を画像記録装置１２に送信した後、本画像記録制御処理プログラムを終了する。
【００７６】
次に、図９を参照して、記録用紙に画像を記録する場合の画像記録装置１２の動作について説明する。図９は、画像記録装置１２の電源が投入された際にＣＰＵ１２Ａによって実行される画像記録処理の流れを示すフローチャートである。
【００７７】
同図のステップ２００では、前述の画像記録制御処理プログラムのステップ１７２の処理によって送信される設定情報の受信待ちを行う。ステップ２００の処理によって設定情報が受信されるとステップ２００は肯定判定となってステップ２０２に移行し、上記ステップ２００の処理によって受信された設定情報に従って画像記録部１２Ｈを制御した後、本画像記録処理プログラムを終了する。上記ステップ２０２では、例えば、上記ステップ２００の処理によって受信された設定情報から判読者情報毎に設定項目及び設定値を抽出し、抽出した設定項目に対して、抽出した設定値を設定してから記録用紙に画像を記録する。これにより、上記ステップ２００の処理によって受信された設定情報に含まれる判読者情報により示される判読者の判読能力に応じた画像が記録用紙に記録される。
【００７８】
［第２の実施形態］
【００７９】
上記第１の実施形態では、画像が記録された記録用紙を各読み手に提供するために画像記録装置１２において読み手の各々について個別の設定を行う場合の形態例を挙げて説明したが、本第２の実施形態では、画像記録装置１２において複数の読み手について共通の設定を行う場合の形態例について説明する。なお、本第２の実施形態では、上記第１の実施形態で説明した画像記録システム１０の構成と相違しない構成の画像記録システム１０を適用しており、上記第１の実施形態に比べ、上記第１の実施形態とは異なる画像記録制御処理を実行する点が相違している。そのため、ここでは、図１０を参照して、本第２の実施形態に係る画像記録制御処理について、上記第１の実施形態との相違点を主に説明する。
【００８０】
図１０は、サーバ装置１４において本第２の実施形態に係る画像記録制御処理の実行の開始を指示する条件（例えば電源が投入されたとの条件）を満足した際にサーバ装置１４のＣＰＵ１４Ａによって実行される本第２の実施形態に係る画像記録制御処理プログラムの処理の流れを示すフローチャートである。
【００８１】
同図のステップ２５０では、上記画像記録制御指示処理プログラムのステップ１０４の処理によって送信された設定情報の受信待ちを行う。ステップ２５０の処理によって設定情報が受信されるとステップ２５０は肯定判定となってステップ２５２に移行する。ステップ２５２では、データベースＡから、上記ステップ２５０の処理によって受信された設定情報に相当するテーブルａ１を検索し、検索して得たテーブルａ１に対応付けられているテーブルａ２を取得する。
【００８２】
次のステップ２５４では、データベースＢから、本第２の実施形態に係る画像記録制御処理プログラムの以降のステップが未処理の１つの規定値項目を注目の規定値項目（本第２の実施形態では、「注目規定値項目」と言う。）として取得した後、ステップ２５６に移行し、上記ステップ２５４の処理によって取得された注目規定値項目について、データベースＢから、以降のステップが未処理の判読者情報を取得する。
【００８３】
次のステップ２５８では、上記ステップ２５４の処理によって取得された注目規定値項目について、上記ステップ２５６の処理によって取得された判読者情報に割り当てられている規定値を取得した後、ステップ２６０に移行し、上記ステップ２５８の処理によって取得された規定値がＮＧ規定値であるか否かを判定し、肯定判定となった場合にはステップ２６２に移行する一方、否定判定となった場合にはステップ２６４に移行する。なお、以下では、ＮＧ規定値以外の規定値を「非ＮＧ規定値」と言い、ＮＧ規定値と非ＮＧ規定値とを区別する必要がない場合は単に「規定値」と言う。
【００８４】
ステップ２６２では、上記ステップ２５８の処理によって取得された規定値がＮＧ規定値であることを特定するＮＧ符号を上記ステップ２５８の処理によって取得された規定値に付加した後、ステップ２６４に移行する。
【００８５】
ステップ２６４では、上記ステップ２５８の処理によって取得された規定値を二次記憶部１４Ｄの一時記憶領域に上記ステップ２５６の処理によって取得された判読者情報毎に記憶した後、ステップ２６６に移行する。なお、本ステップ２６４では、上記ステップ２６０において肯定判定となった場合には上記ステップ２５８の処理によって取得された規定値をＮＧ符号が付加された状態で二次記憶部１４Ｄの一時記憶領域に記憶する一方、上記ステップ２６０において否定判定となった場合には上記ステップ２５８の処理によって取得された規定値をＮＧ符号が付加されない状態で二次記憶部１４Ｄの一時記憶領域に記憶する。これにより、規定値にＮＧ符号を付加しない場合に比べ、一時記憶領域に記憶された規定値の各々がＮＧ規定値であるのか非ＮＧ規定値であるのかが容易に特定される。
【００８６】
ステップ２６６では、現時点で取得されている注目規定値項目の全ての判読者情報について上記ステップ２５６〜２６４の処理の実行が終了したか否かを判定し、否定判定となった場合にはステップ２５６に戻る一方、肯定判定となった場合にはステップ２６８に移行する。ステップ２６８では、現時点で取得されている注目規定値項目について、二次記憶部１４Ｄの一時記憶領域にＮＧ規定値が記憶されているか否かを判定し、肯定判定となった場合にはステップ２７０に移行し、現時点で取得されている注目規定値項目について、二次記憶部１４Ｄの一時記憶領域に記憶されているＮＧ規定値から、上記ステップ２５２の処理によって取得されたテーブルａ２の画像特性項目のうちの注目規定値項目に対応する画像特性項目に割り当てられている対応値との差が最大のＮＧ規定値を（本第２の実施形態では、「最大ＮＧ規定値」と言う。）を取得した後、ステップ２７２に移行する。ステップ２７２では、データベースＣを参照して、上記ステップ２７０の処理によって取得された最大ＮＧ規定値により規定された許容範囲に含まれる対応値として予め定められた対応値に対して一意に定められた設定項目及び設定値を導出した後、ステップ２７４に移行する。
【００８７】
一方、ステップ２６８において否定判定となった場合にはステップ２７６に移行し、現時点で取得されている注目規定値項目について、二次記憶部１４Ｄの一時記憶領域に記憶されている非ＮＧ規定値から最大の非ＮＧ規定値（以下、「最大非ＮＧ規定値」と言う。）を取得した後、ステップ２７８に移行する。なお、上記ステップ２７０の処理によって導出された最大ＮＧ規定値及び上記ステップ２７６の処理によって導出された最大非ＮＧ規定値は、注目規定値項目について全ての判読者情報の各々により示される各読み手に対して共通に適用される規定値であるので、本第２の実施形態において以下では、「共通適用規定値」と言う。
【００８８】
ステップ２７８では、上記ステップ２５２の処理によって取得されたテーブルａ２の画像特性項目のうち、現時点で取得されている注目規定値項目に対応する画像特性項目に割り当てられている対応値に対応する設定項目及び設定値を、上記ステップ２５２の処理によって取得されたテーブルａ２に対応付けられているテーブルａ１から導出した後、ステップ２７４に移行する。なお、上記ステップ２７２，２７８の各処理によって導出された設定値は、注目規定値項目について全ての判読者情報の各々により示される各読み手に対して共通に適用される設定値であるので、本第２の実施形態において以下では、「共通適用設定値」と言う。
【００８９】
ステップ２７４では、上記ステップ２７２，２７８の処理によって導出された設定項目及び設定値と現時点で取得されている（ステップ２５６の処理によって取得された）判読者情報とを対応付けて構成した設定情報を二次記憶部１４Ｄの予め定められた記憶領域に記憶した後、ステップ２８０に移行する。ステップ２８０では、データベースＢの全ての規定値項目について上記ステップ２５４〜２７４の処理の実行が終了したか否かを判定し、否定判定となった場合にはステップ２５４に戻る一方、肯定判定となった場合にはステップ２８２に移行し、上記ステップ２７４の処理によって二次記憶部１４Ｄに記憶された設定情報を画像記録装置１２に送信した後、本画像記録制御処理プログラムを終了する。
【００９０】
図１１には、本第２の実施形態に係るデータベースＡ，Ｂ２、二次記憶部１４Ｄの予め定められた記憶領域に記憶された設定情報、共通適用規定値及び共通適用設定値の一例が示されている。なお、図１１に示す例では、出し手が指定した設定値及び規定値と異なる設定値及び規定値が網掛けされて示されている。
【００９１】
図１１に示すように、上記ステップ２７０，２７６の各処理によって取得された共通適用規定値としては、色相差規定値項目に対して“３”との最大ＮＧ規定値が割り当てられ、コントラスト規定値項目に対して“２”との最大非ＮＧ規定値が割り当てられ、文字サイズ規定値項目に対して“１６”との最大ＮＧ規定値が割り当てられ、線幅規定値項目に対して“３”との最大ＮＧ規定値が割り当てられている。また、上記ステップ２７２，２７８の各処理によって取得された共通適用設定値としては、“モノクロ印刷”との設定項目に対して“×”との設定値が割り当てられ、“トナーセーブ印刷”との設定項目に対して“○”との設定値が割り当てられ、“Ｎｕｐ集約印刷”との設定項目に対して“１ｕｐ”との設定値が割り当てられ、“製本印刷”との設定項目に対して“×”との設定値が割り当てられ、“縮小印刷”との設定項目に対して“×”との設定値が割り当てられている。つまり、“モノクロ印刷”との設定項目に割り当てられた設定値は、対応する色相差規定値項目の共通適用規定値がＮＧ規定値であることから、このＮＧ規定値に従ってデータベースＣから一意に導出され、“トナーセーブ印刷”との設定項目に割り当てられた設定値は、対応するコントラスト規定値項目の共通適用規定値が非ＮＧ規定値であることから、この非ＮＧ規定値に従ってテーブルａ１から対応する設定項目の設定値が一意に導出され、“Ｎｕｐ集約印刷”との設定項目に割り当てられた設定値、“製本印刷”との設定項目に割り当てられた設定値及び“縮小印刷”との設定項目に割り当てられた設定値は、対応する文字サイズ規定値項目の共通適用規定値及び線幅規定値項目の共通適用規定値の各々がＮＧ規定値であることから、これらのＮＧ規定値の組み合わせに従ってデータベースＣから一意に導出される。
【００９２】
従って、上記ステップ２８２の処理によって画像記録装置１２に送信される対象となる設定情報は、データベースＢに含まれる全ての判読者情報の各々により示される読み手１〜５に対して設定項目毎に共通の設定値が対応付けられて構成される。同図に示す設定情報の一例では、読み手１〜５の各々に対して、“モノクロ印刷”との設定項目に“×”との設定値が対応付けられ、“トナーセーブ印刷”との設定項目に“○”との設定値が対応付けられ、“Ｎｕｐ集約印刷”との設定項目に“１ｕｐ”との設定値が対応付けられ、“製本印刷”との設定項目に“×”との設定値が対応付けられ、“縮小印刷”との設定項目に“×”との設定値が対応付けられている。
【００９３】
［第３の実施形態］
【００９４】
上記第２の実施形態では、設定情報として、各設定項目に対して全ての読み手に共通の設定値を対応付けて構成したものを適用した場合の形態例を挙げて説明したが、本第２の実施形態では、読み手を２つの集合に分別して集合毎に各設定項目に対して全ての読み手に共通の設定値を対応付けることによって設定情報を構成する場合の形態例について説明する。なお、本第３の実施形態では、上記第１及び第２の実施形態で説明した画像記録システム１０の構成と相違しない構成の画像記録システム１０を適用しており、上記第１及び第２の実施形態に比べ、上記第１及び第２の実施形態とは異なる画像記録制御処理を実行する点が相違している。そのため、ここでは、図１２を参照して、本第３の実施形態に係る画像記録制御処理について、上記第１及び第２の実施形態との相違点を主に説明する。
【００９５】
図１２は、サーバ装置１４において本第３の実施形態に係る画像記録制御処理の実行の開始を指示する条件（例えば電源が投入されたとの条件）を満足した際にサーバ装置１４のＣＰＵ１４Ａによって実行される本第３の実施形態に係る画像記録制御処理プログラムの処理の流れを示すフローチャートである。なお、ここでは、上記第２の実施形態で説明したフローチャートと相違する点を説明し、相違しないステップについては相違しない符号を付してその説明を省略する。
【００９６】
同図のステップ２６６において肯定判定となった場合にはステップ３００に移行し、データベースＢの全ての規定値項目について上記ステップ２５４〜２６６の処理の実行が終了したか否かを判定し、否定判定となった場合にはステップ２５４に戻る一方、肯定判定となった場合にはステップ３０２に移行する。ステップ３０２では、上記ステップ２６４の処理によって二次記憶部１４Ｄの一時記憶領域から判読者情報を取得した後、ステップ３０４に移行し、上記ステップ３０２の処理によって取得された判読者情報について、全ての規定値項目に対して非ＮＧ規定値が割り当てられているか否かを判定し、肯定判定となった場合にはステップ３０６に移行する。
【００９７】
ステップ３０６では、上記ステップ３０２の処理によって取得された判読者情報に対して、その判読者情報により示される読み手が第１判読者群に属することを示す第１判読者群情報を付加し、第１判読者群情報が付加された判読者情報を二次記憶部１４Ｄの一時記憶領域に再記憶した後、ステップ３０８に移行する。一方、ステップ３０４において否定判定となった場合にはステップ３１０に移行し、上記ステップ３０２の処理によって取得された判読者情報に対して、その判読者情報により示される読み手が第２判読者群に属することを示す第２判読者群情報を付加し、第２判読者情報が付加された判読者情報を二次記憶部１４Ｄの一時記憶領域に再記憶した後、ステップ３０８に移行する。
【００９８】
ステップ３０８では、二次記憶部１４Ｄの一時記憶領域に記憶されている全ての判読者情報について上記ステップ３０４の処理の実行を行ったか否かを判定し、否定判定となった場合にはステップ３０２に戻る一方、肯定判定となった場合にはステップ３１２に移行し、設定情報確定処理プログラムを実行する。図１３は、設定情報確定処理プログラムの処理の流れを示すフローチャートである。同図のステップ３５０では、二次記憶部１４Ｄの一時記憶領域から第１判読者群情報が付加された判読者情報を取得した後、ステップ３５２に移行し、上記ステップ２５０の処理によって受信された設定情報を、上記ステップ３５０の処理によって取得された判読者情報に対応付けて二次記憶部１４Ｄの予め定められた記憶領域に記憶することによって画像記録装置１２への送信対象として設定情報を確定する。
【００９９】
次のステップ３５４では、二次記憶部１４Ｄの一時記憶領域から第２判読者群情報が付加された判読者情報を取得した後、ステップ３５６に移行し、データベースＢから、本画像記録制御処理プログラムの以降のステップが未処理の１つの規定値項目を注目の規定値項目（本第３の実施形態では、「注目規定値項目」と言う。）として取得した後、ステップ３５８に移行する。ステップ３５８では、上記ステップ３５４の処理によって取得された判読者情報にＮＧ規定値が割り当てられているか否かを判定し、肯定判定となった場合にはステップ３６０に移行し、現時点で取得されている注目規定値項目について、二次記憶部１４Ｄの一時記憶領域に記憶されているＮＧ規定値から、最大ＮＧ規定値を取得した後、ステップ３６２に移行する。ステップ３６２では、データベースＣを参照して、上記ステップ３６０の処理によって取得された最大ＮＧ規定値により規定された許容範囲に含まれる対応値として予め定められた対応値に対して一意に定められた設定項目及び設定値を導出した後、ステップ３６４に移行する。
【０１００】
一方、ステップ３５８において否定判定となった場合にはステップ３６６に移行し、現時点で取得されている注目規定値項目について、二次記憶部１４Ｄの一時記憶領域に記憶されている非ＮＧ規定値から最大非ＮＧ規定値を取得した後、ステップ３６８に移行する。なお、上記ステップ３６０の処理によって取得された最大ＮＧ規定値及び上記ステップ３６６の処理によって取得された最大非ＮＧ規定値は、注目規定値項目について全ての判読者情報の各々により示される各読み手に対して共通に適用される規定値であるので、本第３の実施形態において以下では、「共通適用規定値」と言う。
【０１０１】
ステップ３６８では、上記ステップ２５２の処理によって取得されたテーブルａ２の画像特性項目のうち、現時点で取得されている注目規定値項目に対応する画像特性項目に割り当てられている対応値に対応する設定項目及び設定値を、上記ステップ２５２の処理によって取得されたテーブルａ２に対応付けられているテーブルａ１から導出した後、ステップ３６４に移行する。なお、上記ステップ３６２，３６８の各処理によって導出された設定値は、注目規定値項目について全ての判読者情報の各々により示される各読み手に対して共通に適用される設定値であるので、本第３の実施形態において以下では、「共通適用設定値」と言う。
【０１０２】
ステップ３６４では、上記ステップ３６２，３６８の各処理によって導出された設定項目及び設定値と現時点で取得されている（ステップ３５４の処理によって取得された）判読者情報とを対応付けて構成した設定情報を二次記憶部１４Ｄの予め定められた記憶領域に記憶することによって画像記録装置１２への送信対象として設定情報を確定した後、ステップ３６６に移行する。ステップ３６６では、データベースＢの全ての規定値項目について上記ステップ３５６〜３６４の処理の実行が終了したか否かを判定し、否定判定となった場合にはステップ３５６に戻る一方、肯定判定となった場合には本設定情報確定処理プログラムを終了して、画像記録制御処理プログラムのステップ３１４に移行する。
【０１０３】
図１４には、本第３の実施形態に係るデータベースＡ，Ｂ、二次記憶部１４Ｄの予め定められた記憶領域に記憶された設定情報、共通適用規定値及び共通適用設定値の一例が示されている。なお、図１４に示す例では、出し手が指定した設定値及び規定値と異なる設定値及び規定値が網掛けされて示されている。
【０１０４】
図１４に示す例では、データベースＢに含まれる判読者情報が、全ての規定値項目に非ＮＧ規定値が割り当てられた読み手１〜３を示す判読者情報の集合と、規定値項目の少なくとも１つにＮＧ規定値が割り当てられた読み手４，５を示す判読者情報の集合とに分別されている。この分別は、上記ステップ３０６，３１０の各処理によって第１判読者群情報又は第２判読者群情報が付加されることで実現される。これにより、第１判読者群情報が付加された判読者情報により示される読み手１〜３が第１判読者群として取り扱われ、第２判読者群情報が付加された判読者情報により示される読み手４，５が第２判読者群として取り扱われる。
【０１０５】
また、図１４に示す例では、第２判読者群において、上記ステップ３６０，３６６の各処理によって取得された共通適用規定値が、色相差規定値項目に対して“１”との最大非ＮＧ規定値として割り当てられ、コントラスト規定値項目に対して“６”との最大ＮＧ規定値として割り当てられ、文字サイズ規定値項目に対して“１０”との最大ＮＧ規定値として割り当てられ、線幅規定値項目に対して“３”との最大ＮＧ規定値として割り当てられている。また、第２判読者群において、上記ステップ３６２，３６８の各処理によって取得された共通適用設定値としては、“モノクロ印刷”との設定項目に対して“○”との設定値が割り当てられ、“トナーセーブ印刷”との設定項目に対して“×”との設定値が割り当てられ、“Ｎｕｐ集約印刷”との設定項目に対して“２ｕｐ”との設定値が割り当てられ、“製本印刷”との設定項目に対して“×”との設定値が割り当てられ、“縮小印刷”との設定項目に対して“×”との設定値が割り当てられている。つまり、“モノクロ印刷”との設定項目に割り当てられた設定値は、対応する色相差規定値項目の共通適用規定値が非ＮＧ規定値であることから、この非ＮＧ規定値に従ってテーブルａ１から対応する設定項目の設定値が一意に導出され、“トナーセーブ印刷”との設定項目に割り当てられた設定値は、対応するコントラスト規定値項目の共通適用規定値がＮＧ規定値であることから、このＮＧ規定値に従ってデータベースＣから一意に導出され、“Ｎｕｐ集約印刷”との設定項目に割り当てられた設定値、“製本印刷”との設定項目に割り当てられた設定値及び“縮小印刷”との設定項目に割り当てられた設定値は、対応する文字サイズ規定値項目の共通適用規定値及び線幅規定値項目の共通適用規定値の各々がＮＧ規定値であることから、これらのＮＧ規定値の組み合わせに従ってデータベースＣから一意に導出される。
【０１０６】
これに対し、第１判読者群には、上記ステップ２５０の処理によって受信された設定情報が割り当てられる。つまり、“モノクロ印刷”との設定項目に割り当てられた設定値、“トナーセーブ印刷”との設定項目に割り当てられた設定値、“Ｎｕｐ集約印刷”との設定項目に割り当てられた設定値、“製本印刷”との設定項目に割り当てられた設定値及び“縮小印刷”との設定項目に割り当てられた設定値は、対応する各規定値項目に割り当てられた規定値が何れも非ＮＧ規定値であることから、この非ＮＧ規定値に従ってテーブルａ１から対応する設定項目の設定値が一意に導出される。
【０１０７】
従って、上記ステップ３１４の処理によって画像記録装置１２に送信される対象となる設定情報は、第１判読者群に属する読み手１〜３に対して設定項目毎に共通の設定値が対応付けられて構成され、第２判読者群に属する読み手４，５に対して設定項目毎に共通の設定値が対応付けられて構成される。同図に示す設定情報の一例では、第１判読者群に属する読み手１〜３の各々に対して、“モノクロ印刷”との設定項目に“○”との設定値が対応付けられ、“トナーセーブ印刷”との設定項目に“○”との設定値が対応付けられ、“Ｎｕｐ集約印刷”との設定項目に“４ｕｐ”との設定値が対応付けられ、“製本印刷”との設定項目に“×”との設定値が対応付けられ、“縮小印刷”との設定項目に“×”との設定値が対応付けられている。一方、第２判読者群に属する読み手４，５の各々に対して、“モノクロ印刷”との設定項目に“○”との設定値が対応付けられ、“トナーセーブ印刷”との設定項目に“×”との設定値が対応付けられ、“Ｎｕｐ集約印刷”との設定項目に“２ｕｐ”との設定値が対応付けられ、“製本印刷”との設定項目に“×”との設定値が対応付けられ、“縮小印刷”との設定項目に“×”との設定値が対応付けられている。
【０１０８】
［第４の実施形態］
【０１０９】
上記第３の実施形態では、読み手を２つの集合に分別して集合毎に各設定項目に対して全ての読み手に共通の設定値を対応付けることによって設定情報を構成する場合の形態例を挙げて説明したが、本第４の実施形態では、複数の設定項目を２つの集合に分別し、一方の集合については各設定項目に対して全ての読み手に共通の設定値を対応付け、他方の集合については各設定項目に対して個々の読み手毎に個別に設定値を対応付けることによって設定情報を構成する場合の形態例について説明する。なお、本第４の実施形態では、上記第１〜第３の実施形態で説明した画像記録システム１０の構成と相違しない構成の画像記録システム１０を適用しており、上記第１〜第３の実施形態に比べ、上記第１〜第３の実施形態とは異なる画像記録制御指示処理を実行する点及び上記第１〜第３の実施形態とは異なる画像記録制御処理を実行する点が相違している。そのため、ここでは、図１５，１７〜１９を参照して、本第４の実施形態に係る画像記録制御指示処理及び画像記録制御処理について、上記第１〜第３の実施形態との相違点を主に説明する。
【０１１０】
図１５は、クライアント装置１６において画像記録制御指示処理の実行の開始を指示する条件（例えば受付部１６Ｅによって画像記録制御指示処理の実行の開始を指示する操作が受け付けられたとの条件）を満足した際にクライアント装置１６のＣＰＵ１６Ａによって実行される画像記録制御指示処理プログラムの処理の流れを示すフローチャートである。なお、ここでは、上記第１の実施形態で説明したフローチャートと相違する点を説明し、相違しないステップについては相違しない符号を付してその説明を省略する。
【０１１１】
同図のステップ１０２の処理を実行した後、ステップ４００に移行する。ステップ４００では、全ての読み手に対して共通の設定値を割り当てる設定項目（以下、「共通設定項目」と言う。）を指定するために用いる共通設定項目指定画面を表示部１６Ｆに表示した後、ステップ４０２に移行し、共通設定項目が指定されて確定されたか否かを判定し、肯定判定となった場合にはステップ４０４に移行する一方、否定判定となった場合にはステップ４０６に移行し、本画像記録制御指示処理プログラムを終了するための予め定められた終了条件を満足したか否かを判定し、否定判定となった場合にはステップ４０２に戻る一方、肯定判定となった場合には本画像記録制御指示処理プログラムを終了する。
【０１１２】
図１６には、表示部１６Ｆに表示された共通設定項目指定画面の一例が示されている。図１６の示すように、共通設定項目指定画面の上部には“共通設定項目を指定して下さい。”との全ての読み手に対して共通の設定値を割り当てる設定項目の入力を出し手に促すメッセージが表示される。また、このメッセージの下には、設定項目が表示されると共に、設定項目毎にラジオ・ボタンが表示される。出し手は、例えばマウスを介して何れかのラジオ・ボタンをポインティング指定すると、ラジオ・ボタンにチェック印が付与され、チェック印が付与されたラジオ・ボタンに対応する設定項目が共通設定項目として指定される。図１６に示す例では、“モノクロ印刷”の設定項目が共通設定項目として指定されている。また、共通設定項目指定画面には、“スキップ”ボタンが表示されており、例えば“スキップ”ボタンが出し手によってマウスを介してポインティング指定されると、共通設定項目が指定されずに共通設定項目指定画面が非表示される。また、共通設定項目指定画面には、“クリア”ボタンが表示されており、例えば“クリア”ボタンが出し手によってマウスを介してポインティング指定されると、現時点で共通設定項目として設定項目が指定されている場合にはその指定が解除される。更に、共通設定項目指定画面には、“確定”ボタンが表示されており、例えば“確定”ボタンが出し手によってマウスを介してポインティング指定されると、現時点で共通設定項目として設定項目が指定されている場合にはその指定されている設定項目が共通設定項目として確定し、現時点で共通設定項目として設定項目が指定されていない場合には予め定められた設定項目（デフォルト設定項目）が共通設定項目として確定する。共通設定項目指定画面の“確定”ボタンが例えばポインティング指定されて共通設定項目が確定するとステップ４０２は肯定判定となってステップ４０４に移行し、共通設定項目指定画面の“スキップ”ボタンが例えばポインティング指定されるとステップ４０６は肯定判定となって本画像記録制御指示処理プログラムを終了する。
【０１１３】
ステップ４０４では、上記ステップ１０２の処理によって受信された設定値を設定項目毎に対応付けて構成した設定情報及び上記ステップ４０２の処理によって確定された共通設定項目をサーバ装置１４に送信した後、本画像記録制御指示処理プログラムを終了する。
【０１１４】
図１７は、サーバ装置１４において本第４の実施形態に係る画像記録制御処理の実行の開始を指示する条件（例えば電源が投入されたとの条件）を満足した際にサーバ装置１４のＣＰＵ１４Ａによって実行される本第３の実施形態に係る画像記録制御処理プログラムの処理の流れを示すフローチャートである。なお、ここでは、上記第１〜第３の実施形態で説明したフローチャートと相違する点を説明し、相違しないステップについては相違しない符号を付してその説明を省略する。また、ここでは、錯綜を回避するために、本第４の実施形態に係る前述の画像記録制御指示処理プログラムのステップ４０４の処理によって設定情報及び設定項目が送信された場合について説明する。
【０１１５】
同図のステップ４５０では、本第４の実施形態に係る画像記録制御指示処理プログラムのステップ４０４の処理によって送信される設定情報及び設定項目の受信待ちを行った後、ステップ４５２に移行する。ステップ４５２では、データベースＡから、上記ステップ４５０の処理によって受信された設定情報に相当するテーブルａ１に対応付けられているテーブルａ２を取得する。
【０１１６】
次のステップ４５４では、データベースＢから、本画像記録制御処理プログラムのステップ４５６以降が未処理の１つの規定値項目を注目の規定値項目（本第４の実施形態では、「注目規定値項目」と言う。）として取得した後、ステップ４５６に移行し、上記ステップ４５４の処理によって取得された注目設定項目が上記ステップ４５０の処理によって受信された共通設定項目であるか否かを判定し、肯定判定となった場合にはステップ４５８に移行し、第１設定情報確定処理プログラムを実行した後、ステップ４６０に移行する。一方、ステップ４５６において否定判定となった場合にはステップ４６２に移行し、第２設定情報確定処理プログラムを実行した後、ステップ４６０に移行する。
【０１１７】
図１８は、本第４の実施形態に係る第１設定情報確定処理プログラムの処理の流れを示すフローチャートである。同図のステップ５００では、上記ステップ４５４の処理によって取得された注目規定値項目について、データベースＢから、以降のステップが未処理の判読者情報を取得した後、ステップ５０２に移行し、上記ステップ４５４の処理によって取得された注目規定値項目について、上記ステップ５００の処理によって取得された判読者情報に割り当てられている規定値を取得した後、ステップ５０４に移行し、上記ステップ５０２の処理によって取得された規定値がＮＧ規定値であるか否かを判定し、肯定判定となった場合にはステップ５０６に移行する一方、否定判定となった場合にはステップ５０８に移行する。
【０１１８】
ステップ５０６では、上記ステップ５０２の処理によって取得された規定値がＮＧ規定値であることを特定するＮＧ符号を上記ステップ５０２の処理によって取得された規定値に付加した後、ステップ５０８に移行する。
【０１１９】
ステップ５０８では、上記ステップ５０２の処理によって取得された規定値を二次記憶部１４Ｄの一時記憶領域に上記ステップ５００の処理によって取得された判読者情報毎に記憶した後、ステップ５１０に移行する。ステップ５１０では、現時点で取得されている注目規定値項目の全ての判読者情報について上記ステップ５００〜５０８の処理の実行が終了したか否かを判定し、否定判定となった場合にはステップ５００に戻る一方、肯定判定となった場合にはステップ５１２に移行する。ステップ５１２では、現時点で取得されている注目規定値項目について、二次記憶部１４Ｄの一時記憶領域にＮＧ規定値が記憶されているか否かを判定し、肯定判定となった場合にはステップ５１４に移行し、現時点で取得されている注目規定値項目について、二次記憶部１４Ｄの一時記憶領域に記憶されているＮＧ規定値から最大ＮＧ規定値を取得した後、ステップ５１６に移行する。ステップ５１６では、データベースＣを参照して、上記ステップ５１４の処理によって取得された最大ＮＧ規定値により規定された許容範囲に含まれる対応値として予め定められた対応値に対して一意に定められた設定項目及び設定値を導出した後、ステップ５１８に移行する。
【０１２０】
一方、ステップ５１２において否定判定となった場合にはステップ５２０に移行し、現時点で取得されている注目規定値項目について、二次記憶部１４Ｄの一時記憶領域に記憶されている非ＮＧ規定値から最大非ＮＧ規定値を取得した後、ステップ５２２に移行する。なお、上記ステップ５１４の処理によって導出された最大ＮＧ規定値及び上記ステップ５２０の処理によって導出された最大非ＮＧ規定値は、注目規定値項目について全ての判読者情報の各々により示される各読み手に対して共通に適用される規定値であるので、本第４の実施形態において以下では、「共通適用規定値」と言う。
【０１２１】
ステップ５２２では、上記ステップ４５２の処理によって取得されたテーブルａ２の画像特性項目のうち、現時点で取得されている注目規定値項目に対応する画像特性項目に割り当てられている対応値に対応する設定項目及び設定値を、上記ステップ４５２の処理によって取得されたテーブルａ２に対応付けられているテーブルａ１から導出した後、ステップ５１８に移行する。なお、上記ステップ５１６，５１２の各処理によって導出された設定値は、注目規定値項目について全ての判読者情報の各々により示される各読み手に対して共通に適用される設定値であるので、本第４の実施形態において以下では、「共通適用設定値」と言う。
【０１２２】
ステップ５１８では、データベースＢに含まれる全ての判読者情報の各々に対して上記ステップ５１６，５２２の各処理によって導出された設定項目及び設定値を対応付けて構成した設定情報を二次記憶部１４Ｄの予め定められた記憶領域に記憶した後、本第１設定情報確定処理プログラムを終了する。
【０１２３】
図１９は、本第４の実施形態に係る第２設定情報確定処理プログラムの処理の流れを示すフローチャートである。同図のステップ５５０では、上記ステップ４５４の処理によって取得された注目規定値項目について、データベースＢから、以降のステップが未処理の判読者情報を取得する。次のステップ５５２では、上記ステップ４５４の処理によって取得された注目規定値項目について、上記ステップ５５０の処理によって取得された判読者情報に割り当てられている規定値を取得した後、ステップ５５４に移行し、上記ステップ５５２の処理によって取得された規定値がＮＧ規定値であるか否かを判定し、肯定判定となった場合にはステップ５５６に移行する一方、否定判定となった場合にはステップ５５８に移行する。
【０１２４】
ステップ５５６では、データベースＣを参照して、上記ステップ５５２の処理によって取得された規定値により規定された許容範囲に含まれる対応値として予め定められた対応値に対して一意に定められた設定項目及び設定値を導出した後、ステップ５６０に移行する。
【０１２５】
ステップ５５８では、上記ステップ４５２の処理によって取得されたテーブルａ２の画像特性項目のうち、現時点で取得されている注目規定値項目に対応する画像特性項目に割り当てられている対応値に対応する設定項目及び設定値を、上記ステップ４５２の処理によって取得されたテーブルａ２に対応付けられているテーブルａ１から導出した後、ステップ５６０に移行する。
【０１２６】
ステップ５６０では、上記ステップ５５６，５５８の処理によって導出された設定項目及び設定値と現時点で取得されている（ステップ５５０の処理によって取得された）判読者情報とを対応付けて構成した設定情報を二次記憶部１４Ｄの予め定められた記憶領域に記憶した後、ステップ５６２に移行する。ステップ５６２では、現時点で取得されている注目規定値項目の全ての判読者情報について上記ステップ５５０〜５６０の処理の実行が終了したか否かを判定し、否定判定となった場合にはステップ５５０に戻る一方、肯定判定となった場合には本第２設定情報確定処理プログラムを終了する。
【０１２７】
一方、本第４の実施形態に係る画像記録制御処理プログラムのステップ４６０では、データベースＢの全ての規定値項目について上記ステップ４５４以降の処理の実行が終了したか否かを判定し、否定判定となった場合にはステップ４５４に戻る一方、肯定判定となった場合にはステップ４６２に移行し、上記ステップ４５８，４６２の各処理によって二次記憶部１４Ｄの予め定められた記憶領域に記憶された設定情報を画像記録装置１２に送信した後、本画像記録制御処理プログラムを終了する。
【０１２８】
図２０には、本第４の実施形態に係るデータベースＡ，Ｂ、二次記憶部１４Ｄの予め定められた記憶領域に記憶された設定情報、共通適用規定値及び共通適用設定値の一例が示されている。なお、図２０に示す例では、出し手が指定した設定値及び規定値と異なる設定値及び規定値が網掛けされて示されている。
【０１２９】
図２０に示すように、データベースＡでは、テーブルａ１によって示される設定項目が２分され、テーブルａ２によって示される画像特性項目もテーブルａ１の設定項目に対応するように２分される。同図に示す例では、“モノクロ印刷”との設定項目が属するＸ群と、“トナーセーブ印刷”との設定項目、“Ｎｕｐ集約印刷”との設定項目、“製本印刷”との設定項目及び“縮小印刷”との設定項目が属するＹ群とに分別されており、共通設定項目として指定された設定項目がＸ群に属し、共通設定項目として指定されなかった設定項目がＹ群に属している。
【０１３０】
また、データベースＢでも、規定値項目がデータベースＡの設定項目及び画像特性項目に対応するように２分される。図２０に示す例では、Ｘ群に属する色相差規定値項目と、Ｙ群に属するコントラスト規定値項目、文字サイズ規定値項目及び線幅規定値項目とに分別されており、共通設定項目に対応する色相差規定値項目がＸ群に属し、共通設定項目として指定されなかった設定項目に対応するコントラスト規定値項目、文字サイズ規定値項目及び線幅規定値項目がＹ群に属している。
【０１３１】
また、図２０に示す例では、Ｘ群において、ステップ５１４の処理によって取得された共通適用規定値が、色相差規定値項目に対して“３”との最大ＮＧ規定値として割り当てられており、ステップ５１６の処理によって取得された共通適用設定値が、“モノクロ印刷”との設定項目に対して“×”との設定値として割り当てられている。つまり、“モノクロ印刷”との設定項目に割り当てられた設定値は、対応する色相差規定値項目の共通適用規定値がＮＧ規定値であることから、このＮＧ規定値に従ってデータベースＣから一意に導出される。
【０１３２】
これに対し、図２０に示す例では、Ｙ群において、二次記憶部１４Ｄの予め定められた記憶領域に記憶された設定情報のうち、読み手１〜５の各々を示す各判読者情報のうちの読み手４，５の各々を示す各判読者情報に割り当てられた設定情報が、データベースＡのテーブルａ１（上記ステップ４５０の処理によって受信された設定情報）と相違している。具体的には、データベースＢに含まれる判読者情報により示される読み手４の設定情報は、データベースＡのテーブルａ１に比べ、“縮小印刷”との設定項目に“×”との設定値が割り当てられている点が相違している。この読み手４の設定情報において、“縮小印刷”との設定項目及びこの設定項目に割り当てられた“×”との設定値は、データベースＢに含まれる判読者情報により示される読み手４に割り当てられた文字サイズ規定値項目の“８”とのＮＧ規定値及び線幅項目の“３”とのＮＧ規定値の組み合わせからデータベースＣを用いて導出されたものである。また、データベースＢに含まれる判読者情報により示される読み手５の設定情報は、データベースＡのテーブルａ１に比べ、“トナーセーブ印刷”との設定項目に“×”との設定値が割り当てられている点が相違している。この読み手５の設定情報において、“トナーセーブ印刷”との設定項目及びこの設定項目に割り当てられた“×”との設定値は、データベースＢに含まれる判読者情報により示される読み手５に割り当てられたコントラスト規定値項目の“６”とのＮＧ規定値からデータベースＣを用いて導出されたものである。
【０１３３】
以上のように、上記ステップ４６２の処理によって画像記録装置に送信される対象となる設定情報は、特定の設定項目（図２０に示す例ではＸ群に属する“モノクロ印刷”との設定項目）に属する全ての読み手（図２０に示す例では読み手１〜５）に対して設定項目毎（図２０に示す例では“モノクロ印刷”との単一の設定項目）に共通の設定値（“×”との設定値）が対応付けられて構成され、上記特定の設定項目以外の設定項目（図２０に示す例では、Ｙ群に属する“トナーセーブ印刷”との設定項目、“Ｎｕｐ集約印刷”との設定項目、“製本印刷”との設定項目及び“縮小印刷”との設定項目）に属する全ての読み手（図２０に示す例では読み手１〜５）の各々に対して個別に設定項目毎に設定値が対応付けられて構成される。
【０１３４】
［第５の実施形態］
【０１３５】
上記各実施形態では、全ての読み手の各々に割り当てられている規定値のうち、ＮＧ規定値がどの程度占めているのかに拘わらず、全ての読み手に共通の設定値を割り当てたり、或いは全ての読み手の各々に個別に設定値を割り当てる場合の形態例を挙げて説明したが、本第５の実施形態では、全ての読み手の各々に割り当てられている規定値のうち、ＮＧ規定値が占める割合に応じて各読み手に割り当てる設定値を調整する場合の形態例について説明する。なお、本第５の実施形態では、上記第１〜第４の実施形態で説明した画像記録システム１０の構成と相違しない構成の画像記録システム１０を適用しており、上記第１〜第３の実施形態に比べ、上記第１〜第３の実施形態とは異なる画像記録制御処理を実行する点が相違している。そのため、ここでは、図２１を参照して、本第５の実施形態に係る画像記録制御処理について、上記第１〜第３の実施形態との相違点を主に説明する。また、本第５の実施形態でも、上記各実施形態のように、注目規定値項目について全ての判読者情報の各々により示される各読み手に対して共通に適用される規定値を「共通適用規定値」と称し、注目規定値項目について全ての判読者情報の各々により示される各読み手に対して共通に適用される設定値を「共通適用設定値」と称する。
【０１３６】
図２１は、サーバ装置１４において本第５の実施形態に係る画像記録制御処理の実行の開始を指示する条件（例えば電源が投入されたとの条件）を満足した際にサーバ装置１４のＣＰＵ１４Ａによって実行される本第５の実施形態に係る画像記録制御処理プログラムの処理の流れを示すフローチャートである。なお、ここでは、上記第１〜第３の実施形態で説明したフローチャートと相違する点を説明し、相違しないステップについては相違しない符号を付してその説明を省略する。
【０１３７】
同図のステップ２５４の処理を実行した後、ステップ６００に移行する。ステップ６００では、上記ステップ２５４の処理によって取得された注目規定値項目について、データベースＢに含まれる全ての判読者情報の各々に割り当てられている規定値のうちのＮＧ規定値が占める割合（以下、「占有率」という。）を導出した後、ステップ６０２では、上記ステップ６００の処理によって導出された占有率が予め定められた高閾値以上であるか否かを判定し、肯定判定となった場合にはステップ６０４に移行し、本第５の実施形態に係る第１設定情報確定処理プログラムとして上記第４の実施形態に係る第１設定情報確定処理プログラムに相当するプログラムを実行した後にステップ６０６に移行する。なお、本第５の実施形態に係る第１設定情報確定処理プログラムを実行する場合、上記第４の実施形態に係る画像記録制御処理プログラムのステップ４５０に代えて本第５の実施形態に係る画像記録制御処理プログラムのステップ２５０が適用され、上記第４の実施形態に係る画像記録制御処理プログラムのステップ４５２に代えて本第５の実施形態に係る画像記録制御処理プログラムの２５２が適用され、上記第４の実施形態に係る画像記録制御処理プログラムのステップ４５４に代えて本第５の実施形態に係る画像記録制御処理プログラムの２５４が適用される。
【０１３８】
一方、ステップ６０２において否定判定となった場合にはステップ６０８に移行し、占有率が予め定められた低閾値（前述の高閾値よりも低い値）以上であるか否かを判定し、肯定判定となった場合にはステップ６１０に移行し、第２設定情報確定処理を実行した後、ステップ６０６に移行する。上記ステップ６１０で実行される第２設定情報確定処理とは、例えば、上記ステップ２５０の処理によって受信された設定情報とデータベースＢに含まれる全ての判読者情報とを対応付けて二次記憶部１４Ｄの予め定められた記憶領域に記憶する処理が挙げられる。
【０１３９】
一方、ステップ６０８において否定判定となった場合（上記ステップ６００の処理によって導出された占有率が高閾値よりも大きくかつ低閾値よりも小さいと判定した場合）にはステップ６１２に移行し、本第５の実施形態に係る第３設定情報確定処理プログラムを実行した後にステップ６０６に移行する。
【０１４０】
図２２は、本第５の実施形態に係る第３設定情報確定処理プログラムの処理の流れを示すフローチャートである。同図に示すように、本第３設定情報確定処理プログラムでは、先ず、上記第２の実施形態で説明した画像記録制御処理プログラムのステップ２５６〜２６６の処理に相当する処理を実行した後、上記第２の実施形態で説明した画像記録制御処理プログラムのステップ３０２〜ステップ３１２の処理に相当する処理を実行して本第３設定情報確定処理プログラムを終了する。
【０１４１】
本第５の実施形態に係る画像記録制御処理プログラムのステップ６０６では、データベースＢの全ての規定値項目について上記ステップ２５４以降の処理の実行が終了したか否かを判定し、否定判定となった場合にはステップ２５４に戻る一方、肯定判定となった場合にはステップ６０８に移行し、上記ステップ６０４，６１０，６１２の各処理によって二次記憶部１４Ｄの予め定められた記憶領域に記憶された設定情報を画像記録装置１２に送信した後、本画像記録制御処理プログラムを終了する。
【０１４２】
図２３には、本第５の実施形態に係る画像記録制御処理プログラムが実行されることによって設定情報が得られるまでの過程の一部の一例が模式的に示されている。また、図２４には、本第５の実施形態に係る画像記録制御処理プログラムが実行されることによって得られた設定情報とデータベースとの相関の一例が模式的に示されている。図２３，２４に示す例では、出し手が指定した設定値及び規定値と異なる設定値及び規定値が網掛けされて示されている。
【０１４３】
図２３，２４に示す例では、データベースＢに読み手０〜９９の各々を示す各判読者情報が含まれており、色相差規定値項目に割り当てられた読み手０〜９９の全ての規定値におけるＮＧ規定値の占有率が９７％と導出され、コントラスト規定値項目に割り当てられた読み手０〜９９の全ての規定値におけるＮＧ規定値の占有率が２％と導出され、文字サイズ規定値項目に割り当てられた読み手０〜９９の全ての規定値におけるＮＧ規定値の占有率が５３％と導出され、線幅規定値項目に割り当てられた読み手０〜９９の全ての規定値におけるＮＧ規定値の占有率が５３％と導出されている。
【０１４４】
ここで、上記ステップ６０２の処理によって用いられる高閾値を９０％（＝０．９）とし、上記ステップ６０８の処理によって用いられる低閾値を６０％（＝０．６）とした場合、色相差規定値項目については、上記ステップ６０４の処理において全ての読み手に対して共通適用規定値として“３”との最大ＮＧ規定値が割り当てられ、コントラスト規定値項目については、共通適用規定値が割り当てられず、文字サイズ規定値項目については、上記ステップ６１２の処理において第２判読者群に属する読み手に対して共通適用規定値として“９”との最大ＮＧ規定値が割り当てられ、線幅規定値項目については、上記ステップ６１２の処理において第２判読者群に属する読み手に対して共通適用規定値として“３”との最大ＮＧ規定値が割り当てられる。従って、色相差規定値項目に対応する“モノクロ印刷”との設定項目については、上記ステップ６０４の処理において全ての読み手に対して共通適用設定値としてデータベースＣによって一意に導出される設定値が用いられ、“×”との設定値が割り当てられる。また、コントラスト規定値項目に対応する“トナーセーブ印刷”との設定項目については、上記ステップステップ６１０の処理において全ての読み手に対して共通適用設定値としてテーブルａ１の設定値が用いられ、“○”との設定値（出し手によって指定された設定情報）が割り当てられる。更に、文字サイズ規定値項目及び線幅規定値項目に対応する“Ｎｕｐ集約印刷”との設定項目、“製本印刷”との設定項目及び“縮小印刷”との設定項目については、上記ステップ６１２の処理において第２判読者群に属する読み手に対して共通適用設定値としてデータベースＣによって一意に導出される設定値が用いられ、順に“２ｕｐ”との設定値、“○”との設定値、及び“×”との設定値が割り当てられ、上記ステップ６１２の処理において第１判読者群に属する読み手に対して共通適用設定値としてテーブルａ１の設定値が用いられ、順に“４ｕｐ”との設定値、“×”との設定値、及び“×”との設定値が割り当てられる。
【０１４５】
上記第５の実施形態では、上記ステップ６０２の処理で用いる高閾値を９０％（＝０．９）との固定値とし、上記ステップ６０８の処理によって用いられる低閾値を６０％（＝０．６）との固定値とした場合の形態例を挙げて説明したが、これに限らず、閾値は条件に応じて変更しても良い。この条件とは、例えば受付部１４Ｅによって閾値の変更指示が受け付けられたとの条件や、データベースＢに判読者情報が追加されたとの条件、データベースＢから判読者情報が削減されたとの条件などが挙げられる。また、閾値調整用のスイッチを設け、そのスイッチを操作することによって閾値を変更しても良い。
【０１４６】
上記各実施形態では、データベースＢに含まれる判読者情報の全てを画像記録制御処理の対象としたが、これに限らず、特定の判読者情報（図２４に示す例では、例えば、読み手１〜読み手５）を画像記録制御処理の対象にしても良い。この場合、サーバ装置１４及びクライアント装置１６の少なくとも一方で受付部１４Ｅ，１６Ｅを介して判読者情報を指定することによって特定の判読者情報を決めれば良い。
【０１４７】
上記各実施形態では、クライアント装置１６の指示に応じてサーバ装置１４が画像記録装置１２に対して設定値を設定する場合の形態例を挙げて説明したが、この他にも、画像記録装置１２にサーバ装置１４の機能を付加することによって、クライアント装置１６が伝送路１８を介して画像記録装置１２に対して設定情報を付与する形態例や、画像記録装置１２にサーバ装置１４及びクライアント装置１６の機能を付加することによって利用者が画像記録装置１２に対して設定情報を付与する形態例が挙げられ、上記各実施形態で説明した分散型処理の形態例に限定されるものではない。
【符号の説明】
【０１４８】
１２  画像記録装置
１４  サーバ装置
１４Ａ，１６Ａ  ＣＰＵ
１４Ｃ  ＲＯＭ
１４Ｄ  二次記憶部
１６  クライアント装置
１６Ｅ  受付部
１６Ｆ  表示部
【図１】
0005772142.tif 000002
【図２】
0005772142.tif 000003
【図３】
0005772142.tif 000004
【図４】
0005772142.tif 000005
【図５】
0005772142.tif 000006
【図６】
0005772142.tif 000007
【図７】
0005772142.tif 000008
【図８】
0005772142.tif 000009
【図９】
0005772142.tif 000010
【図１０】
0005772142.tif 000011
【図１１】
0005772142.tif 000012
【図１２】
0005772142.tif 000013
【図１３】
0005772142.tif 000014
【図１４】
0005772142.tif 000015
【図１５】
0005772142.tif 000016
【図１６】
0005772142.tif 000017
【図１７】
0005772142.tif 000018
【図１８】
0005772142.tif 000019
【図１９】
0005772142.tif 000020
【図２０】
0005772142.tif 000021
【図２１】
0005772142.tif 000022
【図２２】
0005772142.tif 000023
【図２３】
0005772142.tif 000024
【図２４】
0005772142.tif 000025